(57)【要約】  無線通信の装置および方法は、ユーザ機器（ＵＥ）とアクセスノードとの間の閉ループ送信ダイバーシチ（ＣＬＴＤ）動作を設定することと、ＵＥからアクセスノードへのアップリンクの条件を検出することと、この条件に基づいてＵＥによるＣＬＴＤ動作をディセーブルすることとを含む。オプションとして、装置および方法は更に、アップリンクの条件が終了したことを検出することと、これに応じてＣＬＴＤ動作をイネーブルすることとを更に含みうる。
2014507866.tif 000002
【特許請求の範囲】
【請求項１】
無線通信のための装置であって、
ユーザ機器（ＵＥ）とアクセスノードとの間の閉ループ送信ダイバーシチ（ＣＬＴＤ）動作を設定するための手段と、
前記ＵＥから前記アクセスノードへのアップリンクの条件を検出するための手段と、
前記条件に基づいて前記ＵＥによる前記ＣＬＴＤ動作をディセーブルするための手段と
を備える装置。
【請求項２】
前記ユーザ機器（ＵＥ）と前記アクセスノードとの間の閉ループ送信ダイバーシチ（ＣＬＴＤ）動作を設定するためのスケジューラと、
前記ＵＥから前記アクセスノードへのアップリンクの条件を検出するための受信機と、
前記条件に基づいて前記ＵＥによるＣＬＴＤ動作をディセーブルするための送信機と
を更に備える、請求項１に記載の装置。
【請求項３】
前記送信機は更に、高速共有制御チャネル（ＨＳ−ＳＣＣＨ）を介してダウンリンクシグナリング命令を送信することによって、前記ＵＥによる前記ＣＬＴＤ動作をディセーブルするものである、請求項２に記載の装置。
【請求項４】
前記受信機は更に、前記ＵＥの速度が閾値を上回っていることを検出することによって、前記アップリンクの条件を検出するものである、請求項２に記載の装置。
【請求項５】
前記受信機は更に、前記ＣＬＴＤ動作に関するダウンリンクシグナリング命令を送信するために必要な送信電力が閾値を上回っていると判定することによって、前記アップリンクの条件を検出するものである、請求項２に記載の装置。
【請求項６】
前記送信機は更に、ビームフォーミングフィードバック重み情報を送信することによって前記ダウンリンクシグナリング命令を送信するものである、請求項５に記載の装置。
【請求項７】
前記受信機は更に、前記アクセスノードにおける未処理のパケット誤りレートが閾値を上回っていると判定することによって前記アップリンクの条件を検出するものである、請求項２に記載の装置。
【請求項８】
前記受信機は更に、前記アップリンクの前記条件が終了したことを検出するものであり、
前記送信機は更に、前記条件の終了を検出したことに応答して、前記ＵＥによるＣＬＴＤ動作をイネーブルするものである、請求項２に記載の装置。
【請求項９】
前記受信機は、前記ＵＥにおける条件を検出するために前記ＵＥに配置される、請求項２に記載の装置。
【請求項１０】
前記受信機は、前記アクセスノードにおける条件を検出するために前記アクセスノードに配置される、請求項２に記載の装置。
【請求項１１】
前記スケジューラは、前記ＵＥとアクセスノードとの間のＣＬＴＤ動作の設定およびディセーブルをスケジューリングするためのラジオネットワークコントローラを備える、請求項２に記載の装置。
【請求項１２】
前記スケジューラは、前記ＵＥが、専用物理制御チャネル（ＤＰＣＣＨ）、専用物理データチャネル（ＤＰＤＣＨ）、高速専用物理制御チャネル（ＨＳ−ＤＰＣＣＨ）、エンハンスド専用物理制御チャネル（Ｅ−ＤＰＣＣＨ）、またはエンハンスド専用物理データチャネル（Ｅ−ＤＰＤＣＨ）のうちの１つまたは複数を第１の物理アンテナを介して一次プレコーディングベクトルで送信し、二次専用物理制御チャネル（Ｓ−ＤＰＤＣＨ）を第２の物理アンテナを介して二次プレコーディングベクトルで送信するように設定する、請求項２に記載の装置。
【請求項１３】
前記スケジューラは更に、
測定間隔にわたる信号対雑音比における第１の物理アンテナと第２の物理アンテナとの間の、第１の閾値よりも大きい差を判定し、
前記差の判定に基づいて、前記第１の物理アンテナまたは前記第２の物理アンテナのうちの１つにおいて非ＣＬＴＤ動作で送信することを選択することによって、前記ＣＬＴＤ動作をディセーブルするものである、請求項２に記載の装置。
【請求項１４】
前記スケジューラは更に、ＵＥが、第１の物理アンテナまたは第２の物理アンテナのうちの選択された一方において、専用物理制御チャネル（ＤＰＣＣＨ）、専用物理データチャネル（ＤＰＤＣＨ）、高速専用物理制御チャネル（ＨＳ−ＤＰＣＣＨ）、エンハンスド専用物理制御チャネル（Ｅ−ＤＰＣＣＨ）、またはエンハンスド専用物理データチャネル（Ｅ−ＤＰＤＣＨ）のうちの１つまたは複数を送信し、前記第１の物理アンテナまたは前記第２の物理アンテナのうちの他方において、二次専用物理制御チャネル（Ｓ−ＤＰＣＣＨ）を送信するように設定することによって、前記ＣＬＴＤ動作をディセーブルするもので、前記スケジューラは更に、前記ＵＥから前記アクセスノードへのアップリンクの条件が終了したことを検出し、前記条件が終了したことの検出に応答して前記ＵＥによるＣＬＴＤ動作をイネーブルするものである、請求項２に記載の装置。
【請求項１５】
前記スケジューラは更に、
第１の物理アンテナにおいて送信することに関する第１の電力増幅性能と、第２の物理アンテナにおいて送信することに関する第２の電力増幅性能とを判定し、
前記第１および第２の電力増幅性能に基づいて、専用物理制御チャネル（ＤＰＣＣＨ）、専用物理データチャネル（ＤＰＤＣＨ）、高速専用物理制御チャネル（ＨＳ−ＤＰＣＣＨ）、エンハンスド専用物理制御チャネル（Ｅ−ＤＰＣＣＨ）、またはエンハンスド専用物理データチャネル（Ｅ−ＤＰＤＣＨ）のうちの１つまたは複数を送信するための前記第１の物理アンテナまたは前記第２の物理アンテナのうちの１つを選択すること
によって前記ＣＬＴＤ動作をディセーブルするものである、請求項２に記載の装置。
【発明の詳細な説明】
【技術分野】
【０００１】
３５Ｕ．Ｓ．Ｃ．第１１９条の下の優先権主張
本特許出願は、両方が本願の譲受人に譲渡され、両方が参照によって本願に明確に組み込まれた、２０１１年２月１４日出願の“Dynamic Enabling and Disabling of CLTD Operation via HS-SCCH Orders”と題された米国特許仮出願第６１／４４２６５３号、および２０１１年１月１０日出願の“Dynamic Enabling and Disabling of CLTD Operation via HS-SCCH Orders”と題された米国特許仮出願第６１／４３１３５３号に対する優先権を主張する。
【０００２】
本開示の態様は、一般に無線通信システムに関し、特に、アップリンク送信ダイバーシチのための継続的な相対評価のための閉ループフィードバックに関する。
【背景技術】
【０００３】
無線通信ネットワークは、電話通信、ビデオ、データ、メッセージング、ブロードキャストなどのような様々な通信サービスを提供するために幅広く展開されている。通常、多元接続ネットワークであるそのようなネットワークは、利用可能なネットワークリソースを共有することによって複数のユーザのための通信をサポートできる。そのようなネットワークの一例は、ＵＭＴＳ地上ラジオアクセスネットワーク（ＵＴＲＡＮ）である。ＵＴＲＡＮは、第３世代パートナーシッププロジェクト（３ＧＰＰ(登録商標)）によってサポートされる第３世代（３Ｇ）移動体電話技術である、ユニバーサル移動体通信システム（ＵＭＴＳ）の一部として定められたラジオアクセスネットワーク（ＲＡＮ）である。移動体通信用グローバルシステム（ＧＳＭ(登録商標)）の後継であるＵＭＴＳは現在、広帯域符号分割多元接続（Ｗ−ＣＤＭＡ(登録商標)）、時分割符号分割多元接続（ＴＤ−ＣＤＭＡ）、および時分割同期符号分割多元接続（ＴＤ−ＣＤＭＡ）のような様々なエアインタフェース規格をサポートする。ＵＭＴＳはまた、関連付けられたＵＭＴＳネットワークに高いデータ転送速度および容量を提供する高速パケットアクセス（ＨＳＤＰＡ）のような高度な３Ｇデータ通信プロトコルもサポートする。
【０００４】
ＨＳＰＡセルラシステムにおけるモバイルユーザの場合、ユーザ経験(user experience)がしばしば、ユーザ機器（ＵＥ）の送信電力によって制限される。例えば、セル端のＵＥは、低いデータレートで送信しなければならない、あるいは、送信電力制限によってコールを確立できない可能性がある。閉ループ送信ダイバーシチ（closed loop transmit diversity）(ＣＬＴＤ)の技術は、これら状況を改善するために役立つ。ＵＥにおいて複数の送信アンテナが用いられていると想定する。ＵＥ送信機は送信アンテナに重み付けベクトルを適用し、これらアンテナからの信号が基地局（例えば、「ノードＢ」）受信アンテナにおいてコヒーレントに結合されるようにできる。
【０００５】
ＣＬＴＤからのビームフォーミング利得による必要なＵＥ送信電力の低減によって、リンクバジェット(link budget)およびユーザ経験が改善される。更に、異なるアンテナにまたがる信号が単独のフェージングを経験する場合、コヒーレントな信号結合が深いフェージングの可能性を少なくしてより安定な複合チャネルをもたらす。こうして、ビームフォーミングはダイバーシチ利得を提供できる。閉ループビームフォーミングスキームを考えることの動機づけは、ノードＢ処理およびフィードバックで、ＵＥ送信機が（おそらく、複雑性およびダウンリンクフィードバック電力が増加するという代償を払い）ビームフォーミングフェーズを上記利点を達成するために適用できることにある。ＵＥはサービス提供セルに向かってだけビームを形成するので、２つのＵＥ送信アンテナからの信号は構造上の追加なしで他の全セルで通常受信される。従って、ネットワークレベルの観点では、このＵＥにより他のノードＢ受信機で生じる干渉が低減される。この干渉の低減はネットワークスループットの改善をもたらす。しかし、送信ダイバーシチが性能に弊害を生じる結果となりうるシナリオ(scenarios)が存在する。
【発明の概要】
【０００６】
下記は、１つまたは複数の態様の基本的理解を提供するために、そのような態様の簡略化された概要を提示する。この概要は、意図された態様全ての概観には及ばず、全ての態様の鍵すなわち重要要素を示す、あるいは全てのまたは任意の態様の範囲を説明することは意図されていない。唯一の目的は、１つまたは複数の態様のいくつかの概念を、以下で説明される詳細な説明の前置きとして簡略化された形式で提示することである。
【０００７】
一態様において、本開示は、ユーザ機器（ＵＥ）とアクセスノードとの間の閉ループ送信ダイバーシチ（ＣＬＴＤ）を設定する(configuring)ことと、ＵＥからアクセスノードへのアップリンクの条件を検出することと、条件に基づいてＵＥによるＣＬＴＤ動作をディセーブルすることとによる、無線通信のための方法を提供する。
【０００８】
別の態様において、本開示は、無線通信のための少なくとも１つのプロセッサを提供する。プロセッサは、ＵＥとアクセスノードとの間のＣＬＴＤ動作を設定するための第１のモジュールを含む。更にプロセッサは、ＵＥからアクセスノードへのアップリンクの条件を検出するための第２のモジュールと、この条件に基づいてＵＥによるＣＬＴＤ動作をディセーブルするための第３のモジュールとを含む。
【０００９】
更なる態様において、本開示は、無線通信のためのコンピュータプログラム製品を提供する。非一時的コンピュータ読取可能記憶媒体が複数セットのコードを格納する。第１セットのコードはＵＥとアクセスノードとの間のＣＬＴＤ動作をコンピュータに設定させる。第２セットのコードはＵＥからアクセスノードへのアップリンクの条件をコンピュータに検出させる。第３セットのコードはこの条件に基づいてＵＥによるＣＬＴＤ動作をコンピュータにディセーブルさせる。
【００１０】
更なる態様において、本開示は、無線通信のための装置を提供する。装置は、ＵＥとアクセスノードとの間のＣＬＴＤ動作を設定するための手段を備える。装置は更に、ＵＥからアクセスノードへのアップリンクの条件を検出するための手段を備える。更に装置は、この条件に基づいてＵＥによるＣＬＴＤ動作をディセーブルするための手段を備える。
【００１１】
また別の態様において、本開示は、無線通信のための装置を提供する。装置は、ＵＥとアクセスノードとの間のＣＬＴＤ動作を設定するためのスケジューラを含む。装置は更に、ＵＥからアクセスノードへのアップリンクの条件を検出するための受信機を含む。更に装置は、この条件に基づいてＵＥによるＣＬＴＤ動作をディセーブルするための送信機を含む。
【００１２】
上記およびこれに関連する目的を達成するために、１つまたは複数の態様は、以下で完全に説明され特許請求の範囲において特に指摘される特徴を備える。以下の説明および添付図面は、１つまたは複数の態様の例示的特徴を詳しく記載する。しかしこれらの特徴は、様々な態様の原理が用いられうる様々な方法のうちの少しか示しておらず、本説明は、これら態様およびこれらの均等物の全てを含むことが意図される。
【図面の簡単な説明】
【００１３】
開示された態様は、以下、添付図面に関連して説明される。添付図面は、開示された態様を制限するためでなく例示するために提供される。添付図面において、同様の記号表示は同様の要素を示す。
【図１】図１は、アップリンク送信ダイバーシチ（ＵＬＴＤ）を行っている基地局および移動体局のセルラ通信システムの態様の概略図である。
【図２】図２は、無線通信のためのユーザ機器（ＵＥ）および基地ノードの態様の図である。
【図３Ａ】図３Ａは、ＵＬＴＤを動的に制御することによる無線通信のための方法の態様のフロー図である。
【図３Ｂ】図３Ｂは、ＵＬＴＤを動的に制御することによる無線通信のための方法の態様のフロー図である。
【図３Ｃ】図３Ｃは、ＵＬＴＤを動的に制御することによる無線通信のための方法の態様のフロー図である。
【図４Ａ】図４Ａは、ＵＬＴＤを動的に制御するためのＵＥ設定の態様の図である。
【図４Ｂ】図４Ｂは、ＵＬＴＤを動的に制御するためのＵＥ設定の態様の図である。
【図４Ｃ】図４Ｃは、ＵＬＴＤを動的に制御するためのＵＥ設定の態様の図である。
【図４Ｄ】図４Ｄは、ＵＬＴＤを動的に制御するためのＵＥ設定の態様の図である。
【図４Ｅ】図４Ｅは、ＵＬＴＤを動的に制御するためのＵＥ設定の態様の図である。
【図５】図５は、ＵＬＴＤを制御するための処理システムを用いる装置の態様に関するハードウェア実施形態の例を示す図である。
【図６】図６は、ＵＬＴＤの制御に関する上記態様を含む通信システムの態様の例を概念的に示すブロック図である。
【図７】図７は、ＵＬＴＤの制御に関する上記態様を含むアクセスネットワークの例を示す概念図である。
【図８】図８は、ＵＬＴＤの制御に関する上記多様を含む通信システムの態様においてＵＥと通信中のノードＢの例を概念的に示すブロック図である。
【図９】図９は、ＵＬＴＤの制御に関する上記態様を含む無線通信のための電子部品の論理グループのシステムのブロック図である。
【図１０】図１０は、ＣＬＴＤビームフォーミングＵＥ送信機の態様の概略ブロック図である。
【発明を実施するための形態】
【００１４】
詳細な説明
以下、様々な態様が図面を参照して説明される。以下の説明において、説明目的のために、１つまたは複数の態様の完全な理解を提供するために数々の具体的な詳細が説明される。しかし、こうした態様は、これらの具体的な詳細なしでも実施されうることが明らかであるだろう。
【００１５】
ＨＳＰＡ（高速パケットアクセス）セルラシステムにおけるモバイルユーザの場合、ユーザ経験がしばしば、ユーザ機器（ＵＥ）の送信電力によって制限される。例えば、セル端のＵＥは、送信電力制限によって、低いデータレートで送信しなければならない、あるいはコールを確立できない可能性がある。閉ループ送信ダイバーシチ（ＣＬＴＤ）の技術は、これらのシチュエーションを改善するために役立つ。ＵＥにおいて複数の送信アンテナが用いられると仮定する。ＵＥ送信機は、送信アンテナに重み付けベクトルを適用することができ、これによってこれらアンテナからの信号は、基地ノード（例えば、「ノードＢ」）受信アンテナにおいてコヒーレントに結合される。しかし、送信ダイバーシチの結果、性能に弊害がもたらされるシナリオが存在する。そのようなシナリオにおいて、説明される装置および方法は、短期間の間ＣＬＴＤ動作をディセーブルすることと、シナリオが再びＣＬＴＤにとって好都合となった場合、ＣＬＴＤをイネーブルすることとを提供する。
【００１６】
典型的な態様において、ＣＬＴＤ動作自体は、ノードＢがプレコーディング制御インジケーション（ＰＣＩ）ビットをＵＥへシグナルできる動的な手順である。本開示において、様々な形式の動的制御が、ＰＣＩビットよりもゆっくりな更新レートを有する。この目的のために、ＨＳ−ＳＣＣＨ命令（持続的パケット接続（ＣＰＣ）、マルチキャリア高速パケットアクセス（ＭＣ−ＨＳＰＡ）等において用いられる）がより適切である。
【００１７】
添付図面と関連して以下に記載する詳細な説明は、様々な構成の説明として意図されており、本明細書で説明される概念が実施されうる構成のみを表すことは意図されていない。詳細な説明は、様々な概念の完全な理解を提供する目的のために具体的な詳細を含む。しかし、当業者には、これら概念がこれらの具体的な詳細なしでも実施されうることが明らかであるだろう。いくつかの例において、そのような概念を不明瞭にすることを回避するために、周知の構成および構成要素がブロック図の形式で示される。
【００１８】
図１を参照すると、無線通信システム１００において、選択式閉ループ送信ダイバーシチ（ＣＬＴＤ）コントローラ１０１が、本明細書に開示される態様に従って、いつＣＬＴＤをイネーブルおよびディセーブルするかを決定する。
【００１９】
具体的には、ユーザ機器（ＵＥ）１０２として示されるアクセス端末は、基地ノード（「ノードＢ」）１０８として示されるアクセスノードによってダウンリンク１０６においてＵＥ１０２に提供されたスケジュールに従って、アップリンク１０４において送信する。典型的な態様において、ノードＢ１０８は、ラジオネットワークコントローラ（ＲＮＣ）１１２として示されたスケジューラによってスケジュールされた、複数のアクセスノード１１０のうちの１つである。ＲＮＣ１１２は、ダウンリンクシグナリング命令１１４の一部としてＵＥ１０２およびノードＢ１０８におけるＣＬＴＤ動作を設定(configure)する。現在ＵＥ１０２にサービス提供しているノードＢ１０８は、ダウンリンク１０６の高速共有制御チャネル（ＨＳ−ＳＣＣＨ）においてアンテナ１１８を介してダウンリンクシグナリング命令１１４を送信するために送信機１１６を用いる。ＣＬＴＤ動作をイネーブルまたはディセーブルするダウンリンクシグナリング命令１１４は、受信機１２０によって受信され、ＵＥ１０２は、アップリンク１０４においてアンテナ１２４を介して送信するために送信機１２２を用いる。この場合ＵＥ送信は、ノードＢ１０８の受信機１２８におけるアンテナ１１８で受信される。
【００２０】
ノードＢ１０８の受信機１２８のような受信機は、ＣＬＴＤ動作に好適ではないシナリオまたは条件１３０を検出する。例えば１つの態様において、ノードＢ１０８の受信機１２８は、条件１３０としてＵＥ１０２の速さ（speed）または速度（velocity）を推定し、速さまたは速度がＣＬＴＤ動作をディセーブルするための制限または閾値を超えているかに関する判定を行う。
【００２１】
代わりにまたは加えて、条件１３０は、データ誤りレートに関することもある。例えば１つの態様において、ノードＢ１０８は、所与の時間ウインドウ内に誤って受信されたパケットの数が閾値を超えることを判定できる。このように、ＲＮＣ１１２は、ＣＬＴＤ動作をディセーブルすることを決定できる。
【００２２】
いくつかの態様において、ノードＢ１０８における受信機１２８は、ＵＥ１０２の受信機１２０によって何が受信されたかに基づいて条件１３０を間接的に検出できる。例えば、ダウンリンク１０６におけるＵＥ１０２での内側ループ電力制御（ＩＬＰＣ）手順によって、ＵＥ１０２は、ＣＬＴＤ動作に関するビームフォーミングフィードバック重み情報を搬送するダウンリンク制御チャネル（例えば、ＨＳ−ＳＣＣＨ）において閾値を上回る電力をノードＢが送信することを必要としうる。閾値を超えるこの条件１３０に基づいて、サービス提供しているノードＢは、ＣＬＴＤ動作をディセーブルできる。
【００２３】
受信機１２８からの情報に基づいて、例えば受信機１２８またはノードＢ１０８および／またはＲＮＣ１１２によって、条件１３０が除去されたことが検出されると、ＲＮＣ１１２（または受信機１２８またはノードＢ１０８）は、ＣＬＴＤ動作をイネーブルするように決定を下すことができ、ノードＢ１０８は、ダウンリンクシグナリング命令１１４をＵＥ１０２へ送信できる。
【００２４】
図２において、例に従って多元接続無線通信システムが示される。アクセスポイント（ＡＰ）または基地局２００は複数のアンテナグループを含み、１つは２０４および２０６を含み、別の１つは２０８および２１０を含み、また別の１つは２１２および２１４を含む。図２において、各アンテナグループにつき２つのアンテナのみが示されるが、各アンテナグループについてより多いまたは少ない数のアンテナが用いられうる。移動体デバイスまたはアクセス端末２１６（ＡＴ）は、アンテナ２１２および２１４と通信中であり、この場合アンテナ２１２および２１４は、ダウンリンク（ＤＬ）すなわち順方向リンク（ＦＬ）２２０を介してアクセス端末２１６へ情報を送信し、アップリンク（ＵＬ）すなわち逆方向リンク２１８を介してアクセス端末２１６からの情報を受信する。アクセス端末２２２がアンテナ２０６および２０８と通信中であると、アンテナ２０６および２０８がＤＬすなわち順方向リンク２２６を介してアクセス端末２２２へ情報を送信し、ＵＬすなわち逆方向リンク２２４を介してアクセス端末２２２からの情報を受信する。周波数分割双方向（ＦＤＤ）システムにおいて、通信リンク２１８、２２０、２２４、および２２６は、通信のために異なる周波数を用いうる。例えば順方向リンク２２０は、ＵＬすなわち逆方向リンク２１８によって用いられたものと異なる周波数を用いうる。
【００２５】
各グループの複数のアンテナおよび／またはこれらが通信するように指定されたエリアはしばしば、アクセスポイントのセクタと称される。一例において、アンテナグループの各々は、アクセスポイントまたは基地局２００によってカバーされたエリアのセクタ内のアクセス端末と通信するように指定される。
【００２６】
順方向リンク（すなわちダウンリンク）２２０および２２６を介した通信中、基地局またはアクセスポイントまたは基地局２００の送信アンテナは、異なるアクセス端末２１６および２２２に関する順方向リンクの信号対雑音比を改善するためにビームフォーミングを用いうる。更に、自身のカバレージにランダムに散在するアクセス端末へ送信するためにビームフォーミングを用いている基地局またはアクセスポイントは、自身に関するアクセス端末全てへ単一のアンテナによって送信しているアクセスポイントよりも、近隣セルのアクセス端末に生じさせる干渉が少ない。
【００２７】
アクセスポイントは固定であったり、端末と通信するために用いられる基地局であったりでき、アクセスポイント、ノードＢ、または何か他の用語で呼ばれうる。アクセス端末は、アクセス端末、ユーザ機器（ＵＥ）、無線通信デバイス、端末、アクセス端末、または何か他の用語で呼ばれうる。更に、図２におけるシステムは、データ送信のために複数（ＮＴ個）の送信アンテナおよび複数（ＮＲ個）の受信アンテナを用いるＭＩＭＯシステムでありうる。ＮＴ個の送信アンテナおよびＮＲ個の受信アンテナによって形成されたＭＩＭＯチャネルは、ＮＳ個の独立したチャネルに分解されることができ、これは空間チャネルとも呼ばれる。ＮＳ個の独立したチャネルの各々は次元に対応する。ＭＩＭＯシステムは、複数の送信アンテナおよび受信アンテナによって生成された追加の次元が用いられる場合、改善された性能（例えば、高いスループットおよび／または高い信頼性）を提供できる。
【００２８】
図２のシステムは、一例として、ＣＬＴＤのような連続値測定およびフィードバックを用いうる。特定の例において、移動体デバイス（例えば、２１６または２２２）は、連続値制御シグナリングにおいてアクセスポイントまたは基地局２００からの制御フィードバックを受信しうる。例えばフィードバックは、フェーズ、電力などの閉ループ制御のために用いることができる。上述したように、例えば、無線（over-the-air）（ＯＴＡ）リソースの利用が制限されることによって必要な量子化の結果、閉ループ送信ダイバーシチ（ＣＬＴＤ）の性能低下がもたらされる。
【００２９】
選択式ＣＬＴＤコントローラ１０１は、本明細書に開示された態様に従って、アップリンクにおけるＣＬＴＤ動作をいつイネーブルおよびディセーブルするかを決定する。
【００３０】
図３Ａにおいて、本開示は、無線通信のための方法３００を提供する。一態様において、方法３００は、ユーザ機器（ＵＥ）とアクセスノードとの間の閉ループ送信ダイバーシチ（ＣＬＴＤ）を設定することを含みうる（ブロック３０２）。例えばスケジューラまたはラジオネットワークコントローラが、ビームフォーミングフィードバック重み情報を決定およびＵＥへ送信することを含む、ＣＬＴＤ動作を設定しうる。
【００３１】
典型的な態様において、ＵＥは、第１の物理アンテナを介して一次プレコーディングベクトルにおいて送信される専用物理制御チャネル（ＤＰＣＣＨ）、専用物理データチャネル（ＤＰＤＣＨ）、高速専用物理制御チャネル（ＨＳ  ＤＰＣＣＨ）、エンハンスド専用物理制御チャネル（Ｅ  ＤＰＣＣＨ）、およびエンハンスド専用物理データチャネル（Ｅ  ＤＰＤＣＨ）と、第２の物理アンテナを介して二次プレコーディングベクトルにおいて送信される二次専用物理制御チャネル（Ｓ  ＤＰＣＣＨ）とを備える構成で、ＣＬＴＤ動作に関して設定される。
【００３２】
更に、方法３００は、ＵＥからアクセスノードへのアップリンクの条件を検出することを含みうる（ブロック３０４）。例えば、ノードＢの（あるいはスケジューラまたはＲＮＣに関連付けられた）受信機または他の構成要素は、ＵＥの速度が閾値を上回っていることを検出できる。別の例によると、受信機（または他のネットワーク構成要素）は、ＣＬＴＤ動作のためのダウンリンクシグナリング命令を送信するために計算された送信電力が閾値を上回っていると判定できる。更なる例によると、受信機（または他のネットワーク構成要素）は、アクセスノードにおける未処理のパケット誤りレートが閾値を上回っていると判定できる。
【００３３】
また方法３００は、この条件に基づいてＵＥによるＣＬＴＤ動作をディセーブルすることを含みうる（ブロック３０６）。例えばノードＢにおける送信機は、ＣＬＴＤ動作を中断するためにＨＳ−ＳＣＣＨを介してＵＥへダウンリンクシグナリング命令を送信できる。
【００３４】
オプションとして、典型的な態様において、方法３００は、この条件が終了したことを検出することを含みうる（ブロック３０８）。例えば一態様において、受信機は、ＵＥからアクセスノードへのアップリンクの条件が終了したことを検出する。またオプションとして、方法３００は、検出に応答してＵＥによるＣＬＴＤ動作をイネーブルすることを含みうる（ブロック３１０）。例えば一態様において、送信機は、ＣＬＴＤ動作を再開するための命令をＵＥへ送信しうる。
【００３５】
図３Ｂにおいて、方法３００（図３Ａ）に関して、ＵＥからアクセスノードへのアップリンクの条件を検出するための典型的な方法３０４が示される。ＣＬＴＤの技術は多くのシナリオにおいて役立つが、送信ダイバーシチの結果、性能に弊害がもたらされうるシナリオも存在する。例えば、性能に弊害がもたらされるシナリオは、ＵＥの速度（速さ）が、ループがチャネルを十分な速度で追跡できない限界値を超えていることを、サービス提供しているノードＢの受信機が推定した場合でありうる。別の例として、性能に弊害がもたらされるシナリオは、ダウンリンクにおけるＵＥでの内側ループ電力制御（ＩＬＰＣ）手順の結果、ビームフォーミングフィードバック重み情報を搬送するダウンリンク制御チャネルにおいてＵＥが過剰な電力を必要とする場合でありうる。更なる例として、性能に弊害がもたらされるシナリオは、サービス提供しているノードＢの受信機が、所与の時間ウインドウ内に多数のパケットを誤って受信する場合でありうる。更なる例として、性能に弊害がもたらされるシナリオは、アンテナのうちの１つが、人の影響で一時的に大量に弱められたために、強いアンテナのみから信号を送信することが好ましくなりうる場合でありうる。例えば、この条件は、未処理チャネルのチャネル推定値の長期にわたる信号対雑音比（ＳＮＲ）間の差を測定することによってノードＢで検出されうる。そのようなシナリオにおいて、ＵＬＴＤ動作を動的に制御することが役立ちうる。
【００３６】
図３Ｂを続けて参照すると、明確化のために、どれもがＵＬＴＤをディセーブルするための条件の存在を示しうる一連の判定が図示される。しかし、本発明と整合が取れた実施形態は、説明されたものと同様のサブセット、組み合わせ、または追加の決定を包含できる。
【００３７】
スケジューラおよび／または受信機のようなネットワーク構成要素は、ＵＥの速度を検出する（ブロック３２０）。スケジューラおよび／または受信機のようなネットワーク構成要素は、速度が閾値を上回るかに関する判定を行う（ブロック３２２）。これに応じて、ケジューラおよび／または受信機のようなネットワーク構成要素は、その判定に少なくとも部分的に基づいて、ＵＥからアクセスノードへのアップリンクの条件（例えば、性能に弊害をもたらすシナリオ）の存在を決定する。
【００３８】
代わりにまたは加えて、検出された速度が閾値を上回らないと判定された場合（ブロック３２２）、スケジューラおよび／または送信機のようなネットワーク構成要素は、ＣＬＴＤ動作に関するダウンリンクシグナリング命令を送信するための送信電力を決定する（ブロック３２６）。スケジューラおよび／または送信機のようなネットワーク構成要素はこの後、送信電力が閾値を上回るかに関する判定を行う（ブロック３２８）。上回る場合、スケジューラおよび／または送信機のようなネットワーク構成要素は、アップリンクの条件（例えば、性能に弊害をもたらすシナリオ）の存在があるかを判定する（ブロック３２４）。
【００３９】
代わりにまたは加えて、スケジューラおよび／または受信機のようなネットワーク構成要素は、アクセスノードにおける未処理のパケット誤りレートを検出する（ブロック３３０）。スケジューラおよび／または受信機のようなネットワーク構成要素は、検出された未処理のパケット誤りレートが閾値を上回るかに関する判定を行う（ブロック３３２）。上回る場合、スケジューラおよび／または受信機のようなネットワーク構成要素は、アップリンクの条件（例えば、性能に弊害をもたらすシナリオ）が存在するかを判定する（ブロック３２４）。存在しない場合、スケジューラおよび／または受信機のようなネットワーク構成要素は、条件が存在しないことを決定する（ブロック３３４）。
【００４０】
図３Ｃにおいて、方法３００（図３Ａ）に関する条件に基づいてＵＥによるＣＬＴＤ動作をディセーブルするための典型的な方法３０６が示される。特に、方法３０６は、単にデフォルトとして第１の物理アンテナでＤＰＣＣＨ、ＤＰＤＣＨ、ＨＳ  ＤＰＣＣＨ、Ｅ  ＤＰＣＣＨ、およびＥ  ＤＰＤＣＨを送信し、第２の物理アンテナを用いないのではなく、選択的にＵＥを設定できる。
【００４１】
スケジューラおよび／または受信機のようなネットワーク構成要素は、測定間隔にわたる信号対雑音比における第１の物理アンテナと第２の物理アンテナとの間の差が第１の閾値を上回ると判定できる（ブロック３３０）。更に、スケジューラおよび／または送信機のようなネットワーク構成要素は、差の判定に基づいて、第１の物理アンテナおよび第２の物理アンテナのうちの１つにおいて非ＣＬＴＤ動作で送信することをＵＥのために選択し、ＵＥに指示できる（ブロック３３２）。
【００４２】
代わりにまたは加えて、スケジューラおよび／または受信機のようなネットワーク構成要素は、第１の物理アンテナにおける送信に関するＵＥの第１の電力増幅性能と、第２の物理アンテナにおける送信に関するＵＥの第２の電力増幅性能とを判定できる（ブロック３４０）。スケジューラおよび／または送信機のようなネットワーク構成要素は、第１および第２の電力増幅性能の判定に基づいて、ＤＰＣＣＨ、ＤＰＤＣＨ、ＨＳ  ＤＰＣＣＨ、Ｅ  ＤＰＣＣＨ、およびＥ  ＤＰＤＣＨを送信するために第１の物理アンテナおよび第２の物理アンテナのうちの１つを選択できる（ブロック３４２）。
【００４３】
図４Ａ乃至４Ｅは、方法３００（図３Ａ）をサポートするための様々なＵＥ設定を示す。図４Ａにおいて、４１０に示すように、ＵＥは通常、一次プレコーディングベクトルにおいて送信されるＤＰＣＣＨ、ＤＰＤＣＨ、ＨＳ−ＤＰＣＣＨ、Ｅ−ＤＰＣＣＨ、およびＥ−ＤＰＤＣＨが送信され、二次プレコーディングベクトルにおいてＳ−ＤＰＣＣＨが送信されるＣＬＴＤモードで動作している。この通常のＣＬＴＤモードは以下、ＵＬＴＤ設定（１）：一次プレコーディングベクトルにおけるＤＰＣＣＨ／ＨＳ−ＤＰＣＣＨ／Ｅ−ＤＣＨおよび二次プレコーディングベクトルにおけるＳ−ＤＰＣＣＨ、として参照される。
【００４４】
図４Ｂは、ユーザが高速である場合、または物理アンテナ２（Ａ２）が物理アンテナ１（Ａ１）に比べて高い減衰を経験している場合のような、ビームフォーミングが有害な影響を及ぼす使用事例に対応する。この事例において、物理アンテナ１においてＤＰＣＣＨ、ＤＰＤＣＨ、ＨＳ−ＤＰＣＣＨ、Ｅ−ＤＰＣＣＨ、およびＥ−ＤＰＤＣＨを送信し、物理アンテナ２においてＳ−ＤＰＣＣＨを送信することが有益となりうる。アンテナ２（Ａ２）でＳ−ＤＰＣＣＨを送信する理由は、チャネルサウンディングを可能にすることで、ＵＥをＵＬＴＤ設定（１）に再設定するなどによるビームフォーミング手順をいつ再開するかをノードＢが検出できるようにするためである。このモードは以下、ＵＬＴＤ設定（２）：物理アンテナ１（Ａ１）におけるＤＰＣＣＨ／ＨＳ−ＤＰＣＣＨ／Ｅ−ＤＣＨおよび物理アンテナ２（Ａ２）におけるＳ−ＤＰＣＣＨ、として参照される。
【００４５】
図４Ｃにおける使用事例は、物理アンテナ１および２の役割が逆であることを除き、図４Ｂにおける使用事例と同一である。このモードは以下、ＵＬＴＤ設定（３）：物理アンテナ２（Ａ２）におけるＤＰＣＣＨ／ＨＳ−ＤＰＣＣＨ／Ｅ−ＤＣＨおよび物理アンテナ１（Ａ１）におけるＳ−ＤＰＣＣＨ、として参照される。
【００４６】
図４Ｄは、ＵＥが旧モードにおいて動作している場合に対応し、この場合ＵＬＴＤは非アクティブ化またはディセーブルされるだけである。このモードは以下、ＵＬＴＤ設定（４）：物理アンテナ１（Ａ１）におけるＤＰＣＣＨ／ＨＳ−ＤＰＣＣＨ／Ｅ−ＤＣＨおよびＳ−ＤＰＣＣＨがディセーブルされる、として参照される。
【００４７】
図４Ｅはまた、非ＵＬＴＤモードへの後退に対応しており、これは、代わりにＵＥが物理アンテナ２（Ａ２）で送信することを除き、ＵＬＴＤが非アクティブ化またはディセーブルされた状態でありうる。この設定は、ＵＥが物理アンテナ１と２との間の長期にわたるアンバランスを経験した場合、何らかの利点を有するはずである。このモードは以下、ＵＬＴＤ設定（５）：物理アンテナ２（Ａ２）におけるＤＰＣＣＨ／ＨＳ−ＤＰＣＣＨ／Ｅ−ＤＣＨおよびＳ−ＤＰＣＣＨがディセーブルされるとして参照される。
【００４８】
表１は、上記の５つの異なるＵＬＴＤ設定の概要を示す。この態様において、設定（２）、（３）、および（５）は、ＨＳ−ＳＣＣＨ命令を介してサポートされうる。  
【表１】
2014507866.tif 000003
【００４９】
この箇所における５つの異なるＵＬＴＤ設定の説明は、ＵＥが２つの全出力ＰＡ（電力増幅器）において動作している可能性を許容しうる。
【００５０】
一般に、３つの異なるＵＥ実施形態（ＵＥｎと称され、ｎは実施形態番号を表す）が存在しうる。
【００５１】
（１）ＵＥ１：２つの半出力ＰＡ
（２）ＵＥ２：物理アンテナ１（Ａ１）における１つの全出力ＰＡ、およびアンテナ２（Ａ２）における１つの半出力ＰＡ
（３）ＵＥ３：２つの全出力ＰＡ
本開示の利点に関連し、ＵＥ３は、ＰＡ最大電力ベースに基づく５つの異なるＵＬＴＤ設定をサポートできるべきであることが理解されはずである。しかし、ＵＥ１およびＵＥ２の場合、ＰＡを半出力から全出力へおよびその逆に再設定(re-configure)する機能に依存して、上述されたこれらＵＥタイプに関するＵＬＴＤ設定をサポートできたり、できなかったりする。一態様において、ＵＥは、各アンテナでの自身のＰＡ機能をＵＴＲＡＮへシグナルできる。
【００５２】
上記の長所によって、本発明は、ＵＬＴＤ動作のノードＢベースの動的制御を提供する。典型的な態様において、動的制御のレートは、ＰＣＩビットがノードＢへフィードバックされる更新レートほど速い必要はないので、ＨＳ−ＳＣＣＨ命令がより良い選択になることが可能である。更に、５つの異なるＵＬＴＤ設定が論じられ、これらがＵＥにおけるＰＡ機能に依存するが、ＵＥがこれらの設定をサポートできたり、できなかったりする。１つの典型的な実施形態において、ＵＬＴＤ動作の動的制御は、ＨＳ−ＳＣＣＨ命令を介する。最低限、この態様は、ＨＳ−ＳＣＣＨ命令がＵＥを（ビームフォーミングがアクティブ化された）ＵＬＴＤ設定（１）または（ビームフォーミングが非アクティブ化され、ＵＥが一次アンテナで送信する）ＵＬＴＤ設定（４）のうちのいずれかに再設定することを可能にする。別の典型的な実施形態において、ＵＥ１（２つの半出力ＰＡ）およびＵＥ２（１つの全出力ＰＡおよび１つの半出力ＰＡ）は、ＵＬＴＤ設定（２）、（３）、および（５）をサポートできる。特定の態様において、ＵＴＲＡＮに対するＵＥのＰＡ機能のシグナリングは適切な設定を選択することを支援できる。
【００５３】
図５は、処理システム５１４を用いる装置５００に関するハードウェア実施形態の例を示す概念図である。この例において、処理システム５１４は、バス５０２によって一般に表されたバスアーキテクチャを用いて実現されうる。バス５０２は、処理システム５１４の特定のアプリケーションおよび全体の設計制約に依存する、任意の数の相互接続バスおよびブリッジを含みうる。バス５０２は、プロセッサ５０４によって一般に表された１つまたは複数のプロセッサ、およびコンピュータ読取可能媒体５０６によって一般に表されたコンピュータ読取可能媒体を含む様々な回路を互いにリンクする。バス５０２はまた、当該技術において周知であるためにこれ以上詳しく説明されない、タイミングソース、周辺機器、電圧調整器、および電力管理回路のような様々な他の回路もリンクしうる。バスインタフェース５０８は、バス５０２とトランシーバ５１０との間のインタフェースを提供する。トランシーバ５１０は、送信媒体を介して他の様々な装置と通信するための手段を提供する。装置の特性に依存して、ユーザインタフェース５１２（例えば、キーパッド、ディスプレイ、スピーカ、マイクロホン、ジョイスティック）が提供されることもある。
【００５４】
プロセッサ５０４は、バス５０２の管理、およびコンピュータ読取可能媒体５０６に格納されたソフトウェアの実行を含む一般的な処理を請け負う。プロセッサ５０４によって実行されると、ソフトウェアは、処理システム５１４に、任意の特定の装置について以下で説明される様々な機能を行わせる。コンピュータ読取可能媒体５０６はまた、ソフトウェアを実行する際にプロセッサ５０４によって操作されるデータを格納するためにも用いられうる。
【００５５】
選択式ＣＬＴＤコントローラ１０１は、本明細書に開示された態様に従って、クライアントエージェントとして動作したり、アップリンクにおけるＣＬＴＤ動作をいつイネーブルおよびディセーブルするかを決定するために装置５００を代表する決定を行ったりできる。
【００５６】
本開示を通して提示される様々な概念は、幅広く様々な電話通信システム、ネットワークアーキテクチャ、および通信規格にわたって実現されうる。限定ではなく一例として、図６に示す本開示の態様は、Ｗ−ＣＤＭＡ(登録商標)エアインタフェースを用いるＵＭＴＳシステム６００に関して提示される。ＵＭＴＳネットワークは、コアネットワーク（ＣＮ）６０４、ＵＭＴＳ地上ラジオアクセスネットワーク（ＵＴＲＡＮ）６０２、およびユーザ機器（ＵＥ）６１０である３つの対話(interacting)しているドメインを含む。この例において、ＵＴＲＡＮ６０２は、テレフォニ、ビデオ、データ、メッセージング、ブロードキャスト、および／または他のサービスを含む様々な無線サービスを提供する。ＵＴＲＡＮ６０２は、ラジオネットワークサブシステム（ＲＮＳ）６０７のような複数のラジオネットワークサブシステムを含むことができ、これらの各々は、ラジオネットワークコントローラ（ＲＮＣ）６０６のような該当のラジオネットワークコントローラによって制御される。この場合ＵＴＲＡＮ６０２は、本明細書に示されたＲＮＣ６０６およびＲＮＳ６０７に加えて任意の数のＲＮＣ６０６およびＲＮＳ６０７を含みうる。ＲＮＣ６０６は、とりわけ、ＲＮＳ６０７内のラジオリソースを割当て、再構成、および解放することを請け負う。ＲＮＣ６０６は、任意の適切なトランスポートネットワークを用いて、直接物理的接続、仮想ネットワークなどのような様々なタイプのインタフェースを介してＵＴＲＡＮ６０２内の他のＲＮＣ（図示せず）と相互接続されうる。
【００５７】
ＵＥ６１０とノードＢ６０８との間の通信は、物理（ＰＨＹ）層および媒体アクセス制御（ＭＡＣ）層を含むと考えられうる。更に、該当のノードＢ６０８を介したＵＥ６１０とＲＮＣ６０６との間の通信は、ラジオリソース制御（ＲＲＣ）層を含むと考えられうる。本明細書において、ＰＨＹ層は層１と考えられ、ＭＡＣ層は層２と考えられ、ＲＲＣ層は層３と考えられうる。本明細書における情報は、参照によって本願に組み込まれたラジオリソース制御（ＲＲＣ）プロトコル仕様書、３ＧＰＰ  ＴＳ２５．３３１ｖ９．１．０において説明される用語を用いる。
【００５８】
ＳＲＮＳ６０７によってカバーされる地理的領域は、複数のセルに分割されることができ、ラジオトランシーバ装置が各セルにサービス提供している。ラジオトランシーバ装置は一般に、ＵＭＴＳアプリケーションにおいてノードＢと称されるが、当業者によって、基地局（ＢＳ）、基地トランシーバ局（ＢＴＳ）、ラジオ基地局、ラジオトランシーバ、トランシーバ機能、基本サービスセット（ＢＳＳ）、拡大型サービスセット（ＥＳＳ）、アクセスポイント（ＡＰ）、または他の何らかの適切な用語として称されることもある。明確化のために、各ＳＲＮＳ６０７には３つのノードＢ６０８が示されるが、ＳＲＮＳ６０７は任意の数の無線ノードＢを含みうる。ノードＢ６０８は、任意の数の移動体装置に関してコアネットワーク（ＣＮ）６０４への無線アクセスポイントを提供する。移動体装置の例は、セルラホン、スマートホン、セッション開始プロトコル（ＳＩＰ）電話、ラップトップ、ノートブック、ネットブック、スマートブック、パーソナルデジタルアシスタント（ＰＤＡ）、衛星ラジオ、グローバルポジショニングシステム（ＧＰＳ）デバイス、マルチメディアデバイス、ビデオデバイス、デジタルオーディオプレーヤ（例えば、ＭＰ３プレーヤ）、カメラ、ゲーム機、または他の任意の同様の機能を持つデバイスを含む。移動体装置は一般に、ＵＭＴＳアプリケーションにおいてユーザ機器（ＵＥ）と称されるが、当業者によって、移動体局（ＭＳ）、加入者局、移動体ユニット、加入者ユニット、無線ユニット、遠隔ユニット、移動体デバイス、無線デバイス、無線通信デバイス、遠隔デバイス、移動体加入者局、アクセス端末（ＡＴ）、移動体端末、無線端末、遠隔端末、ハンドセット、端末、ユーザエージェント、移動体クライアント、クライアント、または他の何らかの適切な用語として称されることもある。ＵＭＴＳシステムにおいて、ＵＥ６１０は更に、ユーザのネットワークへの加入情報を含むユニバーサル加入者識別モジュール（ＵＳＩＭ）６１１を含みうる。例示目的のために、複数のノードＢ６０８と通信中の１つのＵＥ６１０が示される。順方向リンクとも称されるダウンリンク（ＤＬ）は、ノードＢ６０８からＵＥ６１０への通信リンクを称し、逆方向リンクとも称されるアップリンク（ＵＬ）は、ＵＥ６１０からノードＢ６０８への通信リンクを称する。
【００５９】
コアネットワーク６０４は、ＵＴＲＡＮ６０２のような１つまたは複数のアクセスネットワークとのインタフェースとなる。図示したように、コアネットワーク６０４はＧＳＭコアネットワークである。しかし当業者は、本開示を通して提示された様々な概念が、ＲＡＮまたは他の適切なアクセスネットワークにおいて実現され、ＧＳＭネットワーク以外の様々なタイプのコアネットワークへのアクセスをＵＥに提供しうることを理解するはずである。
【００６０】
コアネットワーク６０４は、回路交換（ＣＳ）ドメインおよびパケット交換（ＰＳ）ドメインを含む。回路交換要素のうちのいくつかは、移動体サービス交換センター（ＭＳＣ）、ビジターロケーションレジスタ（ＶＬＲ）、およびゲートウェイＭＳＣである。パケット交換要素は、サービス提供ＧＰＲＳサポートノード（ＳＧＳＮ）およびゲートウェイＧＰＲＳサポートノード（ＧＧＳＮ）を含む。ＥＩＲ、ＨＬＲ、ＶＬＲ、およびＡｕＣなどのいくつかのネットワーク要素は、回路交換ドメインおよびパケット交換ドメインの両方によって共有されうる。図示された例において、コアネットワーク６０４は、ＭＳＣ６１２およびＧＭＳＣ６１４を用いた回路交換サービスをサポートする。いくつかのアプリケーションにおいて、ＧＭＳＣ６１４は、媒体ゲートウェイ（ＭＧＷ）と称されうる。ＲＮＣ６０６のような１つまたは複数のＲＮＣがＭＳＣ６１２に接続されうる。ＭＳＣ６１２は、コールセットアップ、コールルーチング、およびＵＥ移動性機能を制御する装置である。ＭＳＣ６１２はまた、ＵＥがＭＳＣ６１２のカバレージエリア内に存在する持続期間に関する加入者関連情報を含むビジターロケーションレジスタ（ＶＬＲ）も含む。ＧＭＳＣ６１４は、ＵＥが回路交換ネットワーク６１６にアクセスするために、ＭＳＣ６１２を介してゲートウェイを提供する。ＧＭＳＣ６１４は、特定のユーザが加入したサービスの詳細を反映するデータのような加入者データを含むホームロケーションレジスタ（ＨＬＲ）６１５を含む。ＨＬＲはまた、加入者固有認証データを含む認証センター（ＡｕＣ）に関連付けられる。特定のＵＥに関してコールが受信されると、ＧＭＳＣ６１４は、ＵＥのロケーションを判定し、そのロケーションにサービス提供している特定のＭＳＣにコールを転送するために、ＨＬＲ６１５に問い合わせる。
【００６１】
コアネットワーク６０４はまた、サービス提供ＧＰＲＳサポートノード（ＳＧＳＮ）６１８およびゲートウェイＧＰＲＳサポートノード（ＧＧＳＮ）６２０を用いてパケットデータサービスもサポートする。ジェネラルパケットラジオサービスを表すＧＰＲＳは、回路交換データサービスによって利用可能な速度よりも速い速度でパケットデータサービスを提供するように設計される。ＧＧＳＮ６２０は、ＵＴＲＡＮ６２０のパケットベースネットワーク６２２への接続を提供する。パケットベースネットワーク６２２は、インターネット、プライベートデータネットワーク、または何か他の適切なパケットベースネットワークでありうる。ＧＧＳＮ６２０の主な機能は、ＵＥ６１０とパケットベースネットワークとの接続を提供することである。データパケットは、ＳＳＧＮ６１８を介してＧＧＳＮ６２０とＵＥ６１０との間で転送されうる。ＳＳＧＮ６１８は、ＭＳＣ６１２が回路交換ドメインにおいて行う機能と同じ機能をパケットベースドメインにおいて主に行う。
【００６２】
ＵＭＴＳエアインタフェースは、スペクトル拡散ダイレクトシーケンス符号分割多元接続（ＤＳ−ＣＤＭＡ）システムである。スペクトル拡散ＤＳ−ＣＤＭＡは、チップと呼ばれる擬似ランダムビットのシーケンスとの乗算によってユーザデータを拡散する。ＵＭＴＳのためのＷ−ＣＤＭＡエアインタフェースは、そのようなダイレクトシーケンススペクトル拡散技術に基づいており、周波数分割二重通信（ＦＤＤ）を更に必要とする。ＦＤＤは、ノードＢ６０８とＵＥ６１０との間のアップリンク（ＵＬ）とダウンリンク（ＤＬ）とについて異なる搬送波周波数を用いる。ＤＳ−ＣＤＭＡを用いるＵＭＴＳのための別のエアインタフェースは、ＴＤ−ＳＣＤＭＡエアインタフェースである。当業者は、本明細書で説明された様々な例がＷＣＤＭＡエアインタフェースに言及するが、根本的な原理はＴＤ−ＳＣＤＭＡエアインタフェースにも等しく適用可能であることを理解するはずである。
【００６３】
ＲＮＣ６０６とＵＥ６１０とに散在するように図示された選択式ＣＬＴＤコントローラ１０１は、本明細書に開示された態様に従って、アップリンクにおけるＣＬＴＤ動作をいつイネーブルおよびディセーブルするかを決定する。
【００６４】
図７を参照すると、ＵＴＲＡＮアーキテクチャにおけるアクセスネットワーク７００が示される。複数のアクセス無線通信システムは、各々が１つまたは複数のセクタを含みうるセル７０２、７０４、および７０６を含む複数のセルラ領域（セル）を含む。複数のセクタはアンテナのグループによって形成されることができ、各アンテナは、セルの一部においてＵＥとの通信を請け負う。例えばセル７０２では、アンテナグループ７１２、７１４、および７１６が各々異なるセクタに対応しうる。セル７０４では、アンテナグループ７１８、７２０、および７２２が各々異なるセクタに対応する。セル７０６では、アンテナグループ７２４、７２６、および７２８が各々異なるセクタに対応する。セル７０２、７０４、および７０６は、例えばユーザ機器、すなわちＵＥのようないくつかの無線通信デバイスを含み、これらは各セル７０２、７０４、または７０６のうちの１つまたは複数のセクタと通信中でありうる。例えば、ＵＥ７３０および７３２はノードＢ７４２と通信中であり、ＵＥ７３４および７３６はノードＢ７４４と通信中であり、ＵＥ７３８および７４０はノードＢ７４６と通信中であることができる。従って、各ノードＢ７４２、７４４、７４６は、該当のセル７０２、７０４、および７０６内のＵＥ７３０、７３２、７３４、７３８、７４０の全てについてコアネットワーク６０４（図６を参照）へのアクセスポイントを提供するように構成される。
【００６５】
ＵＥ７３４がセル７０４内に示されたロケーションからセル７０６へ移動すると、サービス提供セル変更（ＳＣＣ）またはハンドオーバが発生し、ＵＥ７３４との通信は、ソースセルと称されうるセル７０４から、ターゲットセルと称されうるセル７０６へ移行する。ハンドオーバ手順の管理は、ＵＥ７３４、これら該当のセルに対応する複数のノードＢ、ラジオネットワークコントローラ６０６（図６を参照）、または無線ネットワーク内の他の適切なノードで行われうる。例えば、ソースセル７０４とのコール中または他の任意の時間に、ＵＥ７３４は、ソースセルの様々なパラメータおよびセル７０６および７０２のような近隣セルの様々なパラメータをモニタしうる。更に、これらパラメータに依存して、ＵＥ７３４は、近隣セルのうちの１つまたは複数との通信を維持しうる。この期間、ＵＥ７３４は、アクティブセット、すなわちＵＥ７３４が同時に接続されるセルのリストを保持しうる（すなわち、ダウンリンク専用物理チャネルＤＰＣＨまたは部分ダウンリンク専用物理チャネルＦ−ＤＰＣＨをＵＥ７３４へ現在割り当てているＵＴＲＡセルがアクティブセットの構成要素となりうる）。
【００６６】
アクセスネットワーク７００によって用いられる変調および多元接続スキームは、展開されている特定のテレコミュニケーション規格に依存して変化しうる。一例によると、規格は、エボリューションデータオプティマイズド（ＥＶ−ＤＯ）またはウルトラ移動体ブロードバンド（ＵＭＢ）を含みうる。ＥＶ−ＤＯおよびＵＭＢは、ＣＤＭＡ２０００規格群の一部として第３世代パートナーシッププロジェクト２（３ＧＰＰ２）によって公布されたエアインタフェースであり、インターネットアクセスを移動体局へ提供するためにＣＤＭＡを用いる。あるいは規格は、広帯域ＣＤＭＡ（Ｗ−ＣＤＭＡ）およびＴＤ−ＳＣＤＭＡのような他の様々なＣＤＭＡを用いるユニバーサル地上ラジオアクセス（ＵＴＲＡ）、ＴＤＭＡを用いる移動体通信用グローバルシステム（ＧＳＭ）、および、ＯＦＤＭＡを用いる次世代ＵＴＲＡ（Ｅ−ＵＴＲＡ）、ウルトラ移動体ブロードバンド（ＵＭＢ）、ＩＥＥＥ８０２．１１（ＷｉーＦｉ）、ＩＥＥＥ８０２．１６（ＷｉＭＡＸ）、ＩＥＥＥ８０２．２０、およびＦｌａｓｈ−ＯＦＤＭでありうる。ＵＴＲＡ、Ｅ−ＵＴＲＡ、ＵＭＴＳ、ＬＴＥ、ＬＴＥアドバンスド、およびＧＳＭは、３ＧＰＰ組織からの文書において説明される。ＣＤＭＡ２０００およびＵＭＢは３ＧＰＰ２組織からの文書において説明される。実際に用いられる無線通信規格および多元接続技術は、特定のアプリケーションおよびシステムに課された全体の設計制約に依存するはずである。
【００６７】
選択式ＣＬＴＤコントローラ１０１は、本明細書に開示された態様に従って、アップリンクにおけるＣＬＴＤ動作をいつイネーブルおよびディセーブルするかを決定する。
【００６８】
図８は、ＵＥ８５０と通信中のノードＢ８１０のブロック図であり、ノードＢ８１０は図１の基地ノード１０８であることができ、ＵＥ８５０は図１のＵＥ１０２であることができる。ダウンリンク通信において、送信プロセッサ８２０は、データソース８１２からのデータおよびコントローラ／プロセッサ８４０からの制御信号を受信しうる。送信プロセッサ８２０は、データおよび制御信号と参照信号（例えば、パイロット信号）とに様々な信号処理機能を提供する。例えば送信プロセッサ８２０は、誤り検出のための巡回冗長検査（ＣＲＣ）コード、順方向誤り訂正（ＦＥＣ）を容易にするためのコーディングおよびインタリービング、様々な変調スキーム（例えば、二相位相変調（ＢＰＳＫ）、四相位相変調（ＱＰＳＫ）、Ｍ位相変調（Ｍ−ＰＳＫ）、Ｍ直交振幅変調（Ｍ−ＱＡＭ）など）に基づいた信号配列へのマッピング、直交可変拡散因子（ＯＶＳＦ）による拡散、一連のシンボルを生成するためのスクランブルコードとの乗算を提供しうる。チャネルプロセッサ８４４からのチャネル推定値は、送信プロセッサ８２０に関するコーディングスキーム、変調スキーム、拡散スキーム、および／またはスクランブルスキームを決定するためにコントローラ／プロセッサ８４０によって用いられうる。これらのチャネル推定値は、ＵＥ８５０によって送信された参照信号から、またはＵＥ８５０からのフィードバックから導出されうる。送信プロセッサ８２０によって生成されたシンボルは、フレーム構成を生成するために送信フレームプロセッサ８３０へ提供される。送信フレームプロセッサ８３０は、このフレーム構成をコントローラ／プロセッサ８４０からの情報を用いてシンボルを多重化することによって生成し、この結果として一連のフレームをもたらす。これらフレームはこの後、送信機８３２へ提供される。送信機８３２は、アンテナ８３４を介した無線媒体上でのダウンリンク送信のために搬送波上へのフレームを増幅、フィルタリング、および変調することを含む様々な信号調整機能を提供する。アンテナ８３４は、例えば、ビームステアリング双方向適応アンテナアレイまたは他の同様のビーム技術を含む、１つまたは複数のアンテナを含みうる。
【００６９】
ＵＥ８５０において、受信機８５４は、アンテナ８５２を介してダウンリンク送信を受信し、搬送波上への変調された情報を復元するために送信を処理する。受信機８５４によって復元された情報は、受信フレームプロセッサ８６０へ提供される。受信フレームプロセッサ８６０は各フレームを解析(parse)し、これらフレームからの情報をチャネルプロセッサ８９４へ提供し、データ信号、制御信号、および参照信号を受信プロセッサ８７０へ提供する。受信プロセッサ８７０はこの後、ノードＢ８１０の送信プロセッサ８２０によって行われた処理と逆の処理を行う。具体的には、受信プロセッサ８７０は、シンボルをデスクランブルおよび逆拡散し、変調スキームに基づいてノードＢ８１０によって送信された最も可能性のある信号配列点を決定する。これらの軟判定は、チャネルプロセッサ８９４によって計算されたチャネル推定値に基づきうる。軟判定はこの後、データ信号、制御信号、および参照信号を復元するために復号およびデインタリーブされる。この後、これらフレームが正しく復号されたかを判定するためにＣＲＣコードが検査される。正しく復号されたこれらフレームによって搬送されたデータはこの後、データシンク８７２へ提供されることになる。データシンク８７２は、ＵＥ８５０において稼働中のアプリケーションおよび／または様々なユーザインタフェース（例えば、ディスプレイ）を表す。正しく復号されたフレームによって搬送された制御信号は、コントローラ／プロセッサ８９０へ提供されることになる。複数のフレームが受信機プロセッサ８７０によって誤って復号された場合、コントローラ／プロセッサ８９０は、これらフレームに関する再送信要求をサポートするためにアクノレッジメント（ＡＣＫ）および／またはネガティブアクノレッジメント（ＮＡＣＫ）を用いることもある。
【００７０】
アップリンクにおいて、データソース８７８からのデータおよびコントローラ／プロセッサ８９０からの制御信号は、送信プロセッサ８８０へ提供される。データソース８７８は、ＵＥ８５０において稼働中のアプリケーションおよび様々なユーザインタフェース（例えば、キーボード）を表しうる。ノードＢ８１０によるダウンリンク送信に関して説明された機能と同様、送信プロセッサ８８０は、ＣＲＣコード、ＦＥＣを容易にするためのコーディングおよびインタリービング、信号配列へのマッピング、ＯＶＳＦによる拡散、および一連のシンボルを生成するためのスクランブリングを含む様々な信号処理機能を提供する。ノードＢ８１０によって送信された参照信号またはノードＢ８１０によって送信されたミッドアンブルに含まれたフィードバックから、チャネルプロセッサ８９４によって導出されたチャネル推定値は、適切なコーディングスキーム、変調スキーム、拡散スキーム、および／またはスクランブルスキームを選択するために用いられうる。送信プロセッサ８８０によって生成されたシンボルは、フレーム構成を生成するために送信フレームプロセッサ８８２へ提供されることになる。送信フレームプロセッサ８８２は、このフレーム構成をシンボルとコントローラ／プロセッサ８９０からの情報とを多重化することによって生成し、その結果として一連のフレームをもたらす。これらフレームはこの後送信機８５６へ提供される。送信機８５６は、アンテナ８５２を介した無線媒体上でのアップリンク送信のために搬送波上へのフレームを増幅、フィルタリング、および変調することを含む様々な信号調整機能を提供する。
【００７１】
アップリンク送信は、ＵＥ８５０における受信機機能に関して説明されたのと同様の方式でノードＢ８１０において処理される。受信機８３５は、アンテナ８３４を通してアップリンク送信を受信し、搬送波上への変調された情報を復元するために送信を処理する。受信機８３５によって復元された情報は、受信フレームプロセッサ８３６へ提供される。受信フレームプロセッサ８３６は、各フレームを解析し、これらフレームからの情報をチャネルプロセッサ８４４へ提供し、データ信号、制御信号、および参照信号を受信プロセッサ８３８へ提供する。受信プロセッサ８３８は、ＵＥ８５０の送信プロセッサ８８０によって行われた処理と逆の処理を行う。正しく復号されたこれらフレームによって搬送されたデータ信号および制御信号は、この後、データシンク８３９およびコントローラ／プロセッサへそれぞれ提供されうる。これらフレームのうちのいくつかが受信プロセッサによって誤って復号された場合、コントローラ／プロセッサ８４０は、これらフレームに関する再送信要求をサポートするためにアクノレッジメント（ＡＣＫ）および／またはネガティブアクノレッジメント（ＮＡＣＫ）を用いることもある。
【００７２】
コントローラ／プロセッサ８４０および８９０は、それぞれノードＢ８１０およびＵＥ８５０において動作を指示するために用いられうる。例えばコントローラ／プロセッサ８４０および８９０は、タイミング、周辺インタフェース、電圧調整、電力管理、および他の制御機能を含む様々な機能を提供しうる。メモリ８４２および８９２のコンピュータ読取可能媒体は、それぞれノードＢ８１０およびＵＥ８５０に関するデータおよびソフトウェアを格納できる。ノードＢ８１０におけるスケジューラ／プロセッサ８４６は、ＵＥにリソースを割り当て、ＵＥに関するダウンリンク送信および／またはアップリンク送信をスケジュールするために用いられうる。
【００７３】
メモリ８４２および／またはメモリ８９２内に存在するように図示された選択式ＣＬＴＤコントローラ１０１は、本明細書に開示された態様に従って、アップリンクにおけるＣＬＴＤ動作をいつイネーブルおよびディセーブルするかを決定する。
【００７４】
図９を参照すると、無線通信のためのシステム９００が示される。例えばシステム９００は、１つまたは複数のネットワークエンティティ内に少なくとも部分的に存在できる。システム９００は、無線（Over-The-Air）（ＯＴＡ）通信が可能である基地ノードを備えることができる。本明細書に開示された態様は更に、ＲＮＣのようなスケジューリングに関するネットワークエンティティに分散されることができる。システム９００は、コンピュータプラットフォーム、プロセッサ、ソフトウェア、またはこれらの組み合わせ（例えば、ファームウェア）によって実現される機能を表す機能ブロックであることができる機能ブロックを含むように表されていることが理解されるべきである。システム９００は、連動して動作できる電子部品の論理グループ９０２を含む。例えば論理グループ９０２は、ユーザ機器（ＵＥ）とアクセスノードとの間の閉ループ送信ダイバーシチ（ＣＬＴＤ）動作を設定するための電子部品９０４を含むことができる。更に、論理グループ９０２は、ＵＥからアクセスノードへのアップリンクの条件を検出するための電子部品９０６を含むことができる。更に、論理グループ９０２は、条件に基づいてＵＥによるＣＬＴＤ動作をディセーブルするための電子部品９０８を含むことができる。加えて、システム９００は、電子部品９０４乃至９０８に関連付けられた機能を実行するための命令を保持するメモリ９２０を含むことができる。メモリ９２０に外付けであるように図示されているが、電子部品９０４乃至９０８のうちの１つまたは複数がメモリ９２０内に存在しうることが理解されるべきである。
【００７５】
閉ループ送信ダイバーシチスキームは、ＨＳＰＡにおけるアップリンク送信性能を改善する見込みのある技術である。本開示は更に、ＨＳＰＡシステムに関する閉ループ送信ダイバーシチ（ＣＬＴＤ）ビームフォーミングスキームの動機づけおよび理論的分析に対する説明を提供する。アルゴリズム説明、ユーザ機器およびノードＢ送信機／受信機の実施形態、および対応するシステム性能においても具体例が提供される。
【００７６】
アップリンク送信ダイバーシチ（ＵＬＴＤ）スキームは、例えばユーザ機器（ＵＥ）送信電力の低減、ＵＥカバレージ範囲の拡大、ＵＥデータレートの増加、またはこれらの組み合わせといったアップリンク送信性能を改善するために、ＵＥにおいて複数（通常、２つ）のアンテナを用いる。これは、全体のシステム容量を増加させるためにも役立つ。フィードバック要件に基づいて、ＵＬＴＤスキームは、閉ループ（ＣＬ）スキームと開ループ（ＯＬ）スキームとに分類できる。送信の観点から、ＵＬＴＤスキームは、ビームフォーミング（ＢＦ）およびアンテナ切替え（ＡＳ）スキームとして分類されることができる。
【００７７】
一般に、閉ループ（ＣＬ）送信ダイバーシチ（ＴＤ）スキームは、複数の送信アンテナを介した送信フォーマットの選択において送信機を支援するために空間チャネルに関する明確なフィードバック情報を提供することを受信機に要求する。一方、開ループ（ＯＬ）ＴＤスキームはそうではない。ＷＣＤＭＡアップリンクに関する文脈において、ＯＬ  ＴＤスキームという用語は、コア規格変更がない、すなわち新たなフィードバックチャネルの導入がないスキームを含む。
【００７８】
ＣＬＴＤスキームの２つのカテゴリが存在する。ＣＬＴＤビームフォーミングスキームにおいて、ノードＢは、複数の送信アンテナにわたって用いられるプレコーディング（すなわち、ビームフォーミング）ベクトルをＵＥにフィードバックし、ノードＢで受信された信号が構造的に追加されるようにする。これは、受信機の信号対雑音比（ＳＮＲ）を最大化し、ビームフォーミング効果を達成する。ＣＬＴＤアンテナ切替えスキームにおいて、ノードＢは、どの送信アンテナをＵＥが用いるべきかにおける自身の選択をＵＥにフィードバックする。この選択の結果、ＵＥ送信アンテナとノードＢ受信アンテナとの間の最大チャネル利得が生じる。２つのスキームの間で、ＣＬＴＤ  ＢＦは、いかに速くチャネルを追跡するかと、どれほど頻繁にスキームがチャネルフェーズを中断させるかとの間でより良いトレードオフを達成できる。本発明は、ＣＬＴＤ  ＢＦスキームに焦点を当てる。
【００７９】
ＣＬＴＤビームフォーミングアルゴリズムに関していくつかの疑問点が自然発生する。第１の疑問点は、例えばＵＥのような加入者に対するビームフォーミングのＣＬＴＤ利点に関する。ビームフォーミングから得られる送信電力利得によって、ＣＬＴＤは、加入者がアップリンクデータレートにおける増加あるいは改善されたアップリンク範囲を享受することを可能にする。第２の疑問点は、無線ネットワークオペレータに対するビームフォーミングのＣＬＴＤ利点に関する。ＣＬＴＤビームフォーミングにより、オペレータは、展開エリア全体のＵＬデータレートの増加および費用効果が増加するインフラストラクチャのアップグレードに伴うより良いユーザ経験を加入者に提供できる。すなわちＣＬＴＤビームフォーミングスキームは、例えば高層主要都市エリアのようなカバレージが制限されたエリアにおいて、カバレージを拡大し、ユーザ経験を向上させるために導入されうる。更に、他のセルへの干渉の低減により、セルスループットにおける利得もあるはずである。
【００８０】
（ＣＬＴＤビームフォーミングの動機づけ）
ＨＳＰＡセルラシステムにおけるモバイルユーザの場合、ユーザ経験はしばしば、ＵＥの送信電力によって制限される。セル端ユーザの場合、送信電力制限により、低いデータレートで送信しなければならならなかったり、コールを確立できない可能性があったりする。送信ダイバーシチの技術は、これらの状況を改善するために役立つ。ＵＥにおいて複数の送信アンテナが用いられると想定する。ＵＥ送信機は、これらアンテナからの信号がノードＢ受信アンテナにおいてコヒーレントに結合されるように、送信アンテナに重み付けベクトルを適用できる。
【００８１】
簡単な例について考える。非送信ダイバーシチの基本的な場合、ＵＥおよびノードＢの両方が１つのアンテナを有する。ＵＥとノードＢとの間のチャネルが静的であると仮定する。  
【数１】
2014507866.tif 000004
【００８２】
受信信号対雑音比（ＳＮＲ）は、  
【数２】
2014507866.tif 000005
【００８３】
ここで、ＰはＵＥ送信電力であり、Ｎ０は雑音電力である。次に、ＵＥにおいてビームフォーミング送信ダイバーシチが展開される場合を考える。ＵＥとノードＢとの間のチャネルは静的であると仮定する。  
【数３】
2014507866.tif 000006
【００８４】
ここで、Θは２つのチャネルリンク間のフェーズオフセットである。ＵＥが以下のビームフォーミング重みベクトルを適用した場合、  
【数４】
2014507866.tif 000007
【００８５】
同じ受信ＳＮＲを達成するために、ＵＥ送信機は、送信電力Ｐ／２を用いるだけでよい。ＵＥ送信電力におけるこの３ｄＢの低減（ビームフォーミング利得）が、リンクバジェットおよびユーザ経験を改善するはずである。更に、異なるアンテナにわたる信号が個々のフェージングを経験する場合、コヒーレントな信号の結合の結果、深いフェージングの可能性が小さくなることに伴い、より安定した複合チャネルが得られる。このように、ビームフォーミングはダイバーシチ利得を提供できる。
【００８６】
閉ループビームフォーミングスキームを勘案した動機づけは、ノードＢの処理およびフィードバックを介して、ＵＥ送信機が、（おそらく複雑さの増加およびダウンリンクフィードバック電力の増加という代償を払い）上記利得を達成するためにビームフォーミングフェーズを適用できることである。
【００８７】
ＵＥはサービス提供セルに対してのみビームを形成するので、２つのＵＥ送信アンテナからの信号は一般に、構造的な追加なしに他のセル全てにおいて受信される。従ってネットワークレベルの観点から、このＵＥによる他のノードＢ受信機における干渉の量は低減される。この干渉の低減によって、ネットワークスループットが改善されるであろう。一方、ＣＬＴＤビームフォーミングにおいて、ＵＥはサービス提供セルに対してビームフォーミングするので、ソフトハンドオーバ状態における性能利得は、非ソフトハンドオーバ状態ほど大きくはならないことがある。
【００８８】
ＣＬＴＤビームフォーミングの利得分析は、様々なチャネル下でビームフォーミングから達成可能な送信電力利得の理論的分析を提供する。非送信ダイバーシチの基本的な場合、ＵＥは、１つの送信アンテナを有する。ビームフォーミング送信ダイバーシチの場合、ＵＥは、２つの送信アンテナを有する。ノードＢ側から、次の２つの場合を考える。第１に、１つの受信アンテナを有する場合：第２に、２つの受信アンテナを有する場合：簡略化のために、ノードＢ受信機においてチャネル状態情報が完璧に知られていること、ＵＥへのビームフォーミング重みベクトルの理想的なフィードバック、および完璧なアップリンク電力制御を各々想定する。
【００８９】
１つのノードＢ受信アンテナの場合：昨今のネットワーク展開は、ノードＢにおいて２つの受信アンテナを有するが、分析のために、１つの受信アンテナの場合も考慮する。これは、２つの受信アンテナの場合よりもフェージングチャネルにおける著しい利得を示すだろう。この場合、非送信ダイバーシチＵＥに関するアップリンクチャネルは１×１チャネルである。  
【数５】
2014507866.tif 000008
【００９０】
また、ビームフォーミングしているＵＥに関するアップリンクチャネルは、２×１チャネルである。  
【数６】
2014507866.tif 000009
【００９１】
ビームフォーミングの送信電力利得は、チャネルモデルに依存する。付加白色ガウス雑音（ＡＷＧＮ）チャネルおよびシングルパスレイリーフェージングに関する利得がそれぞれ以下で求められる。
【００９２】
ＡＷＧＮチャネル：ＣＬＴＤビームフォーミングの動機づけに関して上述したように、ビームフォーミングしているＵＥは、非送信ダイバーシチＵＥの送信電力の半分しか必要とせずにノードＢにおいて同じ受信ＳＮＲを達成する。従って、この場合の送信電力利得は３ｄＢである。
【００９３】
シングルパスレイリーフェージングチャネル：非送信ダイバーシチＵＥの場合、そのアップリンクチャネルは、次元ごと（実数部分または虚数部分）にゼロ平均および分散０．５を有する複雑なガウス分散を有する。アップリンク送信のために必要なＳＮＲが  
【数７】
2014507866.tif 000010
【００９４】
であると仮定する。
【００９５】
これを達成するために、完璧な電力制御によって、瞬間送信電力は、  
【数８】
2014507866.tif 000011
【００９６】
となる。
【００９７】
平均して、この基本となるＵＥのために必要な送信電力は、  
【数９】
2014507866.tif 000012
【００９８】
である。
【００９９】
一方、ビームフォーミングしているＵＥの場合、  
【数１０】
2014507866.tif 000013
【０１００】
ビームフォーミングしているＵＥによって見えるチャネル電力利得は、  
【数１１】
2014507866.tif 000014
【０１０１】
である。
【０１０２】
アップリンク送信のために必要な  
【数１２】
2014507866.tif 000015
【０１０３】
を達成するために、完璧な制御によって、瞬間送信電力は、  
【数１３】
2014507866.tif 000016
【０１０４】
である。
【０１０５】
平均して、ビームフォーミングしているＵＥのために必要な送信電力は、  
【数１４】
2014507866.tif 000017
【０１０６】
である。
【０１０７】
従って、ビームフォーミングによる理論上の送信電力利得は無限である。しかし実際は、電力制御は完璧ではなく、かつＵＥ送信電力における最大電力の制限があるので、ビームフォーミングの利得は有限である。
【０１０８】
（２つの受信アンテナ）
この場合、非送信ダイバーシチＵＥに関するアップリンクチャネルは、１×２チャネルである。  
【数１５】
2014507866.tif 000018
【０１０９】
ビームフォーミングＵＥに関するアップリンクチャネルは、２×２チャネルである。  
【数１６】
2014507866.tif 000019
【０１１０】
ビームフォーミングの送信電力利得は、チャネルモデルに依存する。ＡＷＧＮチャネルに関する利得は、シングルパスレイリーフェージングチャネルはそれぞれ、以下で求められる。
【０１１１】
（ＡＷＧＮチャネル）
この場合、基本のＵＥは、アップリンクチャネルを経験する。  
【数１７】
2014507866.tif 000020
【０１１２】
アップリンク送信のために必要なＳＮＲが  
【数１８】
2014507866.tif 000021
【０１１３】
であると仮定する。
【０１１４】
これを達成するために、送信電力は、  
【数１９】
2014507866.tif 000022
【０１１５】
となる。
【０１１６】
一方、ビームフォーミングＵＥに関して、アップリンクチャネル  
【数２０】
2014507866.tif 000023
【０１１７】
であると見られる。
【０１１８】
ビームフォーミングＵＥが、以下の重みベクトルを適用した場合、  
【数２１】
2014507866.tif 000024
【０１１９】
重み付けされたパイロットがノードＢ受信機において結合した後、チャネル電力利得は４である。従って、必要な送信電力は、  
【数２２】
2014507866.tif 000025
【０１２０】
となる。
【０１２１】
従って、ビームフォーミングによる送信電力利得は３ｄＢである。
【０１２２】
（シングルパスレイリーフェージングチャネル）
非送信ダイバーシチＵＥの場合、そのアップリンクチャネルは、  
【数２３】
2014507866.tif 000026
【０１２３】
である。
【０１２４】
２つのエントリｈ１１およびｈ２１が、０平均および次元毎に分散０．５を有する独立同分布複素ガウス確率変数であると仮定する。アップリンク送信のために必要な  
【数２４】
2014507866.tif 000027
【０１２５】
を達成するためには、完璧な電力制御によって、瞬間送信電力は、  
【数２５】
2014507866.tif 000028
【０１２６】
となる。
【０１２７】
平均すると、非送信ダイバーシチＵＥのために必要な送信電力は、  
【数２６】
2014507866.tif 000029
【０１２８】
である。
【０１２９】
ビームフォーミング事例の場合、アップリンクチャネルは、  
【数２７】
2014507866.tif 000030
【０１３０】
である。
【０１３１】
この場合、チャネル行列において単一値分解（ＳＶＤ）が行われる。
【０１３２】
特異値が命令された、すなわち、ｓ１≧ｓ２であると仮定する。するとＵＥ送信機で適用されるビームフォーミングベクトルは、単位長さを有するｖ１となるものとする。（重み付けされたパイロットの結合後）ノードＢ受信機によって見られるチャネル電力利得は、
【数２８】
2014507866.tif 000031
【０１３３】
であり、これは、以下の確率密度関数を有する。
【数２９】
2014507866.tif 000032
【０１３４】
アップリンク送信のために必要な  
【数３０】
2014507866.tif 000033
【０１３５】
を達成するために、完璧な電力制御によって、瞬間送信電力は  
【数３１】
2014507866.tif 000034
【０１３６】
となる。
【０１３７】
平均すると、ビームフォーミングＵＥのために必要な送信電力は、  
【数３２】
2014507866.tif 000035
【０１３８】
である。
【０１３９】
従って、基準値と比較すると、ビームフォーミングを用いることによって理想的には４．１ｄＢの利得がある。  
【表２】
2014507866.tif 000036
【０１４０】
マルチパスチャネル：複数の経路を有するアップリンクチャネルの場合、ビームフォーミングによる送信電力利得は、シングルパスチャネルよりも小さくなる傾向がある。その理由は、全ての経路について最適となることができる単一のビームフォーミング重みベクトルが存在しないためである。マルチパスチャネルにおける理論的なビームフォーミング利得に関する閉形式の数式を得ることが困難であるので、シミュレーションがこの利得を推定するために頼られることができる。
【０１４１】
理論的な送信電力利得の分析において、これまでのところ相関および不均衡のない全方向性アンテナが想定されてきた。実際の出願明細書では、ＵＥによって用いられる複数の送信アンテナは複数のアンテナパターンを有することになる。再び、これらアンテナパターンを考慮した上での送信電力利得がシミュレーションを介して取得される。
【０１４２】
図１０において、ＣＬＴＤビームフォーミングＵＥ送信機１０００は、以下のＣＬＴＤビームフォーミングスキームに関するアップリンクシステムモデルを実現する。  
【数３３】
2014507866.tif 000037
【０１４３】
このスキームにおいて、ＥＵＬデータチャネル、ＥＵＬ制御チャネル、Ｅ−ＤＰＤＣＨ（エンハンスド専用物理制御チャネル）、ＨＳ−ＤＰＣＣＨ（高速専用物理制御チャネル）、Ｒｅｌｅａｓｅ−９９（Ｒ９９）データチャネルＤＰＤＣＨ、および一次パイロットチャネルＤＰＣＣＨ，１は常に、（仮想アンテナとも称される）強い方のビームフォーミングベクトルｖ１で送信され、二次パイロットチャネルＤＰＣＣＨ，２は、弱い方のビームフォーミングベクトルｖ２で送信される。数学的に、優勢な仮想アンテナは以下のビームフォーミングベクトルによって表される。  
【数３４】
2014507866.tif 000038
【０１４４】
ここで、  
【数３５】
2014507866.tif 000039
【０１４５】
およびビームフォーミングフェーズがΘによって示される。通常、ビームフォーミングフェーズΘは｛０，９０°，１８０°，２７０°｝度のような有限集合に量子化される。同様に、振幅変数［ａ１  ａ２］は一般に有限集合に属する。
【０１４６】
スケールされた二次パイロットチャネルが弱い方の仮想アンテナにおいて送信される。  
【数３６】
2014507866.tif 000040
【０１４７】
明らかに、このビームフォーミング重みベクトルは、強い方の仮想アンテナに対し直交である。
【０１４８】
（ノードＢ受信機）
全てのデータチャネルおよび制御チャネルが一次パイロットチャネルとして同一のビームフォーミングベクトルで稼働しているので、受信機において、ＤＣＨサーチャ、フィンガー割当て、時間追跡ループ、周波数追跡ループなどのようなフィンガー処理に関連する全ての機能が一次パイロットチャネルＰ１で稼働している。復調部分は、ビームフォーミング重みを決定するために二次パイロットチャネルで追加のチャネル推定器が稼働している場合を除き、ＵＥが非送信ダイバーシチＵＥであるものとして動作している。ノードＢ受信機は、ビームフォーミング重み行列  
【数３７】
2014507866.tif 000041
【０１４９】
を反転することによって、一次パイロットおよび二次パイロットの両方からの複合チャネルを推定する。  
この後、ノードＢ受信機は、物理チャネル  
【数３８】
2014507866.tif 000042
【０１５０】
を推定する。ここでｒは受信アンテナ指数(receive antenna index)であり、ｔは送信アンテナ指数(transmit antenna index)であり、ｋはフィンガー指数(finger index)である。この後、ノードＢ受信機は、新たなビームフォーミング重みベクトルを計算できる。アップリンクチャネルにおいて１よりも多い数の経路が存在しうるので、ＳＶＤアルゴリズム（シングルパスシナリオにおける均等物）よりも一般的な、受信電力最大化ベースのビームフォーミングアルゴリズムが用いられる。例えば｛０，９０°，１８０°，２７０°｝度および／または振幅量子化値ａ１°のような量子化フェーズΘの所与のセットに関して、受信電力は、各フェーズおよび／または振幅の組み合わせについて計算されることができ、現在のチャネル推定値  
【数３９】
2014507866.tif 000043
【０１５１】
が求められる。この後、最大受信電力に対応するフェーズおよび／または振幅が、最適なビームフォーミングフェーズおよび／または振幅として選択される。  
【数４０】
2014507866.tif 000044
【０１５２】
システムシミュレーションにおけるアンテナパターンのモデル化がＣＬＴＤビームフォーミング性能の評価に関して以下で説明される。ここで行われたＣＬＴＤビームフォーミング性能調査において、実際のアンテナパターンは、ハンドセットアンテナおよびラップトップアンテナの両方が因数を形成することによる送信アンテナ相関行列を介してモデル化された。
【０１５３】
３−Ｄアンテナ放射パターンは、遠視野での測定を介して観察された。この目的は、発射方位角φ０における遠視野アンテナ利得を求めることであった。これは、ノードＢに対するＵＥのロケーションに基づいても得られる。
【０１５４】
特定の発射角（ＡｏＤ）が与えられ、ＡｏＤφ０におけるアンテナ相関行列  
【数４１】
2014507866.tif 000045
【０１５５】
の成分は、  
【数４２】
2014507866.tif 000046
【０１５６】
によって求められる。  
ここで、
【数４３】
2014507866.tif 000047
【０１５７】
は、垂直（Ｖ−ｐｏｌ）偏光成分であり、
【数４４】
2014507866.tif 000048
【０１５８】
は、水平（Ｈ−ｐｏｌ）偏光成分であり、
ｉはアンテナ指数であり、
Φは方位角であり、
Θは仰角（傾角）であり、
【数４５】
2014507866.tif 000049
【０１５９】
は、基数を形成する単位ベクトルであり、
【数４６】
2014507866.tif 000050
【０１６０】
は、３−Ｄ広がり角をモデル化する確率密度関数（ＰＤＦ）である。
【０１６１】
まず、システムシミュレーションにより、単一ＵＥ性能は理想的なアップリンク送信条件下でのＣＬＴＤビームフォーミングＵＥと（単一アンテナ送信を用いる）標準ＵＥとの間の送信電力差として定められる送信電力利得によって表される。ハンドセットおよびラップトップ端末の両方の測定されたアンテナパターンがシミュレーションで用いられる。
【０１６２】
全てのシミュレーションは、フェーズオンリーモード  
【数４７】
2014507866.tif 000051
【０１６３】
で、アイテムテスト単位（ＩＴＵ）歩行者Ａ ３ｋｍ／ｈ（ＰＡ３）チャネル、ＩＴＵ歩行者Ｂ ３ｋｍ／ｈ（ＰＢ３）チャネル、およびＩＴＵ車両A ３０ｋｍ／ｈチャネルに対して実施している。
【０１６４】
シミュレーションでは、送信電力減衰量(transmit power reduction)を測定するために、１０ｍｓのエンハンスドアップリンク（ＥＵＬ）および対象となる２つの送信とともに一定のペイロードサイズが用いられる。これについて、２ｍｓのＴＴＩ（送信時間間隔）送信の事例における性能と同様のまたはより良好な性能を示すことが期待されうる。表３は、詳細なペイロードサイズおよび電力設定の概要を示す。ＣＬＴＤビームフォーミングは、二次パイロット送信を必要とする。シミュレーションは、送信電力低減の計算で考慮された、０．３５ｄＢの二次パイロット電力設定を用いる。  
【表３】
2014507866.tif 000052
【表４】
2014507866.tif 000053
【表５】
2014507866.tif 000054
【０１６５】
表４および表５において、非ソフトハンドオーバ状態では、低速フェージングチャネルが著しい送信電力利得を示す。高速フェージングチャネルにおいて、利得はより小さい。
【０１６６】
次に、ソフトハンドオーバ状態でのビームフォーミングＵＥの事例が検討される。２つのリンクの均衡がとれている場合、表６および表７がＣＬＴＤビームフォーミング利得の概要を示す。  
【表６】
2014507866.tif 000055
【表７】
2014507866.tif 000056
【０１６７】
これら２つの事例において、ＵＥはサービス提供セルに対してビームフォーミングするので、非サービス提供セル性能が悪化しうる。従って、全体として、非ソフトハンドオーバの事例よりも少ない送信電力利得が観察されうる。
【０１６８】
次に、３ｄＢの不均衡を有する（サービス提供セルが３ｄＢ強い）ソフトハンドオーバ状態でのビームフォーミングＵＥの事例が検討される。表８および表９は、ＣＬＴＤビームフォーミング利得の概要を示す。これら２つの事例において、非サービス提供セルが３ｄＢ弱いので、送信電力利得は、表６および表７における事例よりも大きい。  
【表８】
2014507866.tif 000057
【表９】
2014507866.tif 000058
【０１６９】
最後に、均衡のとれたリンクを有するよりソフトなハンドオーバ状態でのビームフォーミングＵＥの事例が検討される。表１０および表１１は、ＣＬＴＤビームフォーミング利得の概要を示す。これら２つの事例において、単一のノードＢが２つのセルを扱うので、ビームフォーミング性能は、ソフトハンドオーバの事例よりも良好である。  
【表１０】
2014507866.tif 000059
【表１１】
2014507866.tif 000060
【０１７０】
（システム性能）
この部分では、ＣＬＴＤビームフォーミング性能が、ＩＴＵ  ＰＡ３およびＰＢ３チャネルにおけるマルチユーザネットワークシミュレーションから提示される。全体を通して、測定されたラップトップアンテナパターンが用いられた。セルサイト間距離（ＩＳＤ）は、１ｋｍまたは２．８ｋｍのいずれかである。目的となる２つの送信に関して１０ｍｓのＥＵＬが用いられ、これについて、２ｍｓのＴＴＩ送信の場合において同じ性能またはより良い性能が示されることが予想されうる。１０ｍｓのＴＴＩにおける最大ペイロードは２００００であるので、各ＵＥが達成する最大データレートはおよそ１Ｍｂｐｓである。
【０１７１】
（ベストエフォートトラヒックモデル）
ベストエフォートスループット性能を評価するために、各セルは、１０個のＵＥを有する。第１に、１ｋｍのセルＩＳＤおよびＰＡ３チャネルの場合、１９％のセルスループット利得と同時に１．９３ｄＢの平均送信電力利得が観察される。送信電力利得の一部は、ＵＥおよびセルのスループット利得に変換される。セル端ＵＥ（低いパーセンタイル値のＵＥ）は、ノードＢに近接しているＵＥよりも高いパーセンテージのスループット利得を有する。
【０１７２】
２．８ｋｍのセルＩＳＤおよびＰＡ３チャネルの場合、１７％のセルスループット利得と同時に１．３３ｄＢの平均送信電力利得が観察される。送信電力利得の一部は、ＵＥおよびセルのスループット利得に変換される。セル端ＵＥ（低いパーセンタイル値のＵＥ）は、ノードＢに近接しているＵＥよりも大幅に高いパーセンテージのスループット利得を有する。更に、より小さなセルサイズ（１ｋｍ）の場合と比較して、セル端ＵＥはこれらの送信電力において更に制限される。従って、ＣＬＴＤビームフォーミングは、これらＵＥに更なるスループット利得を提供する。
【０１７３】
最後に、２．８ｋｍのセルＩＳＤおよびＰＢ３チャネルの場合、１８％のセルスループット利得と同時に０．８９ｄＢの平均送信電力利得が観察される。ＰＡ３チャネルの場合と同様、セル端ＵＥ（低いパーセンタイル値のＵＥ）は、ノードＢに近接しているＵＥよりも大幅に高いパーセンテージのスループット利得を有する。
【０１７４】
ベストエフォートトラヒックシミュレーションから分かるように、より大きなＩＳＤに関して、ＣＬＴＤビームフォーミングは、セル端におけるＵＥスループットを著しく改善できる。この利点を更に論証するために、ＣＬＴＤビームフォーミングの功績が、集中的トラヒックモデルの下で評価される。ＵＥキュー状態に関わらず、５秒毎にＵＥキューに１Ｍビットのバーストが到達する、開ループバーストトラヒックモデルが用いられる。事実上、各ＵＥに示される負荷は２００ｋｂｐｓである。新たな性能メトリック概観は、バーストサイズ（１Ｍビット）を、バーストの第１のビットがＵＥキューに到達した時刻から、バーストの最後のビットがＵＥにおいて正しく受信された時刻までで割ることによって定められるＵＥバーストレートである。
【０１７５】
シミュレーションデータをより良く理解するために、ＵＥに示された負荷が２００ｋｂｐｓであるのでＵＥは安定したキューを維持するために２００ｋｂｐｓよりも高い物理層スループットを維持することが重要であることを強調したい。
【０１７６】
以下に、ＵＥ平均バーストレートＣＤＦ、パーセンタイル値的ＵＥ平均バーストレート利得、および平均ＵＥ  Ｔｘ電力低減の観点で結果が提示される。
【０１７７】
１ｋｍのセルＩＳＤ、ＰＡ３チャネル、およびセル毎に２つのＵＥを有する場合についての結果が論証される。送信ダイバーシチがディセーブルされた場合でも、短いサイト間距離およびセル毎に２つのＵＥという小さい負荷によって、全てのＵＥが２００ｋｂｐｓよりも高いスループットを維持できる。ＣＬＴＤビームフォーミングは、バーストレートに関して多くの改善を提供しない。その理由は、この場合、システム内に電力制限されたＵＥが存在しないからである。バーストレートは、両方のＵＥが、同時に到達するバーストを有し、スケジューリングの機会に関してノードＢで競合する場合、主に待ち行列遅延によって、１Ｍｂｐｓの最大ＵＥスループットに達することができない。しかし、同じバーストレートを達成するために、ＣＬＴＤビームフォーミングは、平均ＵＥ送信電力において３．３５ｄＢの低減が可能である。この送信電力の低減は、前の箇所で示したような単一のＵＥ固定ペイロードテスト（２．４ｄＢ）よりも大きく、他のセルへの干渉を低減するという観点で、ＣＬＴＤビームフォーミングの更なる利点を示す。複数のＵＥのシナリオにおいて、各ＵＥは、ノードＢ受信機における少ない干渉に対して対抗する必要があるので、自身の送信電力を更に少なくしうる。これは単一ＵＥのシミュレーションにおいては示されない。
【０１７８】
次のステップにおいて、負荷は、２ＵＥ／セルから８ＵＥ／セルへ増加する。負荷が増加すると、ＵＥは、２００ｋｂｐｓの送信を維持できない。この場合、ＣＬＴＤビームフォーミングは、特にセル端のＵＥに関してＵＥバーストレートを著しく改善する。バーストレートの改善に加えて、ＣＬＴＤビームフォーミングは、ＵＥ平均送信電力を２．６９ｄＢ低減させるためにも役立つ。
【０１７９】
セルカバレージの改善を更に論証するために、２．８ｋｍのＩＳＤがシミュレートされる。
【０１８０】
セル毎に２つのＵＥの負荷の場合でも、長いサイト間距離によって、セル端にあるいくつかのＵＥは２００ｋｂｐｓの送信をサポートできない。ＣＬＴＤビームフォーミングは、セル端ＵＥのバーストレートを最大２００％高める。更に、高いＵＥバーストレートを達成しながら、ＣＬＴＤビームフォーミングは、ＵＥ平均送信電力を２．１２ｄＢ低減するためにも役立つ。
【０１８１】
集中的トラヒックモデルはまた、ＰＢ３チャネルに関する異なるレベルの負荷に関して評価され、ＵＥバーストレートの改善および平均ＵＥ送信電力の低減に関してＣＬＴＤビームフォーミングによる同様の利点が観察される。
【０１８２】
上記の利点により、ＨＳＰＡにおいてアップリンクでＣＬＴＤビームフォーミングスキームによって達成することが可能な送信電力利得が確認された。送信電力利得は、セルカバレージを拡大するだけではなく、ユーザスループット利得に変換されることもできる。更に、複数セルのシナリオにおいて、ＣＬＴＤビームフォーミングスキームは、セルスループットを更に高めることができる。現実的なアンテナパターンの場合、ＣＬＴＤビームフォーミングスキームは、非ソフトハンドオーバ状態において、またいくつかの利得は（アップリンク不均衡に依存して）ソフトハンドオーバ状態において、ＩＴＵ「ＰｅｄＡ」３ｋｍ／ｈチャネルに関して２ｄＢより多いＵＥ送信電力低減、ＩＴＵ「ＰｅｄＢ」３ｋｍ／ｈチャネルに関して１ｄＢより多い利得、ＩＴＵ「ＶｅｈＡ」３０ｋｍ／ｈチャネルに関して０．６ｄＢより多い利得を示す。
【０１８３】
システム性能の観点から、ＣＬＴＤビームフォーミングの利点は主に次の３つの分野を有する。（ｉ）ＵＥが送信電力を制限されるようになった場合、セル端におけるＵＥ性能またはセルカバレージの改善、（ｉｉ）他のセルへの干渉の低減、およびこれに伴う、平均ＵＥおよびセルスループットの改善、および（ｉｉｉ）ＵＥ送信電力の低減。
【０１８４】
セルが主に低速チャネルにサービス提供している場合、トラヒックのフルバッファタイプについて、およそ１８％のセルスループット利得が観察され、同時に平均ＵＥ送信電力が１乃至２ｄＢ低減される。送信電力を制限されたＵＥまたはセル端にあるＵＥについて、ＵＥは、スループットにおける著しい（１５０％以上の）改善を経験する。
【０１８５】
集中的にアクセス量の多いソースの場合、ＣＬＴＤビームフォーミングによって、より多くのＵＥが高いデータレートの送信を享受できるだろう。ＣＬＴＤビームフォーミングは、セル端におけるＵＥバーストレートを著しく増加させるとともに、ＵＥ送信電力を最大３ｄＢ低減させることができる。
【０１８６】
通信システムのいくつかの態様がＷ−ＣＤＭＡシステムに関連して説明された。当業者は、本開示を通して説明された様々な態様が、他の通信システム、ネットワークアーキテクチャ、および通信規格に拡大されうることを容易に理解するはずである。
【０１８７】
例えば、本明細書で説明された技術は、ＣＤＭＡ、ＴＤＭＡ、ＦＤＭＡ、ＯＦＤＭＡ、ＳＣ−ＦＤＭＡ、および他のシステムのような様々な無線通信システムのために用いられうる。「システム」および「ネットワーク」という用語はしばしば相互置換性を持って用いられる。ＣＤＭＡシステムは、ユニバーサル地上ラジオアクセス（ＵＴＲＡ）、ｃｄｍａ２０００などのようなラジオ技術を実現しうる。ＵＴＲＡは、広帯域ＣＤＭＡ（Ｗ−ＣＤＭＡ）および他の様々なＣＤＭＡを含む。更に、ｃｄｍａ２０００は、ＩＳ−２０００規格、ＩＳ−９５規格、およびＩＳ−８５６規格をカバーする。ＴＤＭＡシステムは、移動体通信用グローバルシステム（ＧＳＭ）のようなラジオ技術を実現しうる。ＯＦＤＭＡシステムは、次世代ＵＴＲＡ（Ｅ−ＵＴＲＡ）、ウルトラ移動体ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどのようなラジオ技術を実現しうる。ＵＴＲＡおよびＥ−ＵＴＲＡは、ユニバーサル移動体通信システム（ＵＭＴＳ）の一部である。３ＧＰＰロングタームエボリューション（ＬＴＥ）は、Ｅ−ＵＴＲＡを用い、ダウンリンクでＯＦＤＭＡを、アップリンクでＳＣ−ＦＤＭＡを用いる、ＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名付けられた組織からの文書において説明される。更に、ｃｄｍａ２０００およびＵＭＢは、「第３世代パートナーシッププロジェクト２」（３ＧＰＰ２）と名付けられた組織からの文書において説明される。更に、そのような無線通信システムは、しばしば非対非認可スペクトルを用いるピアツーピア(移動体対移動体)アドホックネットワークシステム、８０２.xx無線ＬＡＮ、BLUETOOTH(登録商標)、および他の短、長距離無線通信技術を付加的に含みうる。
【０１８８】
更に、いくつかの態様または特徴は、複数のデバイス、構成要素、モジュールなどを含みうるシステムの代わりに提示されてきた。様々なシステムが追加のデバイス、構成要素、モジュールなどを含むことができること、および／または、図面に関連して説明されたデバイス、構成要素、モジュールなどの全てを含まなくてもよいことが理解されるべきである。これらのアプローチの組み合わせもまた用いられうる。
【０１８９】
更に、本願において用いられる場合、「構成要素」、「モジュール」、「システム」などの用語は、限定はされないがハードウェア、ファームウェア、ハードウェアとソフトウェアとの組み合わせ、ソフトウェア、または実行中のソフトウェアのようなコンピュータ関連エンティティを含むことが意図されている。例えば構成要素は、限定はされないが、プロセッサで稼働中の処理、プロセッサ、オブジェクト、実行可能なもの、実行スレッド、プログラム、および／またはコンピュータでありうる。一例によると、コンピュータデバイスで稼働中のアプリケーションとコンピュータデバイスとの両方が構成要素であることができる。１つまたは複数の構成要素は、実行スレッドおよび／または処理内に存在することができ、構成要素は、１つのコンピュータに局在するおよび／または２つ以上のコンピュータに存在できる。更に、これらの構成要素は、格納された様々なデータ構成を有する様々なコンピュータ読取可能媒体から実行できる。構成要素は、ローカルシステム内の別の構成要素、分散システム内の別の構成要素、および／または信号によって他のシステムを有するインターネットのようなネットワークを介して別の構成要素と対話する１つの構成要素からのデータのような、１つまたは複数のデータパケットを有する信号に従って、遠隔処理および／またはローカル処理によって通信しうる。
【０１９０】
また、様々な態様が、有線端末または無線端末であることができる端末に関して本明細書で説明される。端末は、システム、デバイス、加入者ユニット、加入者局、移動体局、移動体、移動体デバイス、遠隔局、遠隔端末、アクセス端末、ユーザ端末、端末、通信デバイス、ユーザエージェント、ユーザデバイス、またはユーザ機器（ＵＥ）とも称されることができる。無線端末は、セルラ電話、衛星電話、コードレス電話、セッション開始プロトコル（ＳＩＰ）電話、無線ローカルループ（ＷＬＬ）局、パーソナルデジタルアシスタント（ＰＤＡ）、無線接続機能を有するハンドヘルドデバイス、コンピュータデバイス、または、無線モデムに接続された他の処理デバイスでありうる。更に、様々な態様が基地局に関して本明細書で説明された。基地局は、無線端末と通信するために用いられることができ、アクセスポイント、ノードＢ、または他の何らかの用語としても称されうる。
【０１９１】
更に、「または」という用語は、排他的な「または」ではなく包含的な「または」を意味することが意図されている。すなわち、特に例外が記載されない限りまたは文脈から明らかでない限り、「ＸはＡまたはＢを用いる」という語句は、当然発生する包含的な順列のうちのいずれも意味することが意図される。すなわち「ＸはＡまたはＢを用いる」という語句は、ＸはＡを用いる、ＸはＢを用いる、またはＸはＡおよびＢを用いる、という例のいずれによっても満たされる。加えて、“ａ”および“ａｎ”という冠詞は本願および以下の特許請求の範囲において用いられる場合、特に例外が記載されない限り、または単数形を示すことが文脈から明らかでない限り、一般に「１つまたは複数」を意味するように解釈されるべきである。
【０１９２】
本明細書に開示された実施形態に関連して説明された様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェア部品、または、本明細書で説明された機能を行うように設計されたこれらの任意の組み合わせを用いて実現または行われうる。汎用プロセッサとしてマイクロプロセッサを用いることができるが、代わりに、任意の従来型プロセッサ、コントローラ、マイクロコントローラ、または状態マシンを用いることもできる。プロセッサはまた、例えばＤＳＰとマイクロプロセッサとの組み合わせ、複数のマイクロプロセッサ、ＤＳＰコアに接続された１つまたは複数のマイクロプロセッサ、または他の任意のそのような構成といった、コンピュータデバイスの組み合わせとしても実現されうる。更に、少なくとも１つのプロセッサは、上述されたステップおよび／またはアクションのうちの１つまたは複数を行うように動作可能な１つまたは複数のモジュールを備えうる。
【０１９３】
更に、本明細書に開示された態様に関連して説明された方法またはアルゴリズムのステップおよび／またはアクションは、ハードウェアによって直接、プロセッサによって実行されるソフトウェアモジュールによって、またはこれら２つの組み合わせによって具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術において周知である他の任意の形式の記憶媒体に収納されうる。典型的な記憶媒体は、プロセッサがそこから情報を読み取り、またそこへ情報を書き込むことができるように、プロセッサに結合されうる。あるいは記憶媒体は、プロセッサに統合されうる。更にいくつかの態様において、プロセッサおよび記憶媒体はＡＳＩＣ内に存在しうる。更に、ＡＳＩＣは、ユーザ端末内に存在しうる。あるいはプロセッサおよび記憶媒体は、ユーザ端末内の別々の構成要素として存在しうる。更に、いくつかの態様において、方法またはアルゴリズムのステップおよび／またはアクションは、コンピュータプログラム製品に組み込まれうる機械読取可能媒体および／またはコンピュータ読取可能媒体におけるコードおよび／または命令の１つまたは任意の組み合わせまたはセットとして存在しうる。
【０１９４】
１つまたは複数の態様において、説明された機能は、ハードウェア、ソフトウェア、ファームウェア、またはこれらの任意の組み合わせによって実現されうる。ソフトウェアによる実現の場合、機能は、コンピュータ読取可能媒体上の１つまたは複数の命令またはコードとして格納または送信されうる。コンピュータ読取可能媒体は、コンピュータ記憶媒体と、１つの場所から別の場所へのコンピュータプログラムの転送を容易にする任意の媒体を含む通信媒体との両方を含む。記憶媒体は、コンピュータによってアクセスできる任意の利用可能な媒体でありうる。限定ではなく一例によると、そのようなコンピュータ読取可能媒体は、ＲＡＭ、ＲＯＭ、ＥＥＰＲＯＭ、ＣＤ−ＲＯＭあるいは他の光学ディスク記憶媒体、磁気ディスク記憶媒体あるいは他の磁気記憶デバイス、または、命令あるいはデータ構成の形式で所望のプログラムコードを搬送あるいは格納するために用いることができ、コンピュータによってアクセスできる他の任意の媒体を備えることができる。また、任意の接続もコンピュータ読取可能媒体と称されうる。例えば、ソフトウェアが同軸ケーブル、光ファイバケーブル、ツイストペア、デジタル加入者回線(ＤＳＬ)や赤外線、ラジオ、およびマイクロ波のような無線技術を用いてウェブサイト、サーバ、または他の遠隔ソースから送信される場合、同軸ケーブル、光ファイバケーブル、ツイストペア、ＤＳＬ、または赤外線、ラジオ、およびマイクロ波のような無線技術は媒体の定義に含まれる。ディスク（disk）およびディスク（disc）は、本明細書で用いられる場合、コンパクトディスク（disc）（ＣＤ）、レーザディスク（disc）、光学ディスク（disc）、デジタルバーサタイルディスク（disc）（ＤＶＤ）、フロッピー（登録商標）ディスク（disk）、およびブルーレイ（登録商標）ディスク（disc）を含み、ディスク（disk）が通常データを磁気的に再生するのに対し、ディスク（disc）はレーザを用いてデータを光学的に再生する。上記の組み合わせもまた、コンピュータ読取可能媒体の範囲に含まれるべきである。
【０１９５】
上記開示は、例示的な態様および／または実施形態を記載したが、以下の特許請求の範囲によって定められたような上記態様および／または実施形態の範囲から逸脱することなく、本明細書における様々な変更および修正が可能であることが留意されるべきである。更に、上記態様および／または実施形態の要素は、単数形で説明または特許請求されうるが、単数形への限定が明確に記載されない限り、複数形も意図される。また、任意の態様および／または実施形態の一部または全部が、特に記載されない限り、他の任意の態様および／または実施形態の全部または一部とともに用いられうる。
【図１】
2014507866.tif 000061
【図２】
2014507866.tif 000062
【図３Ａ】
2014507866.tif 000063
【図３Ｂ】
2014507866.tif 000064
【図３Ｃ】
2014507866.tif 000065
【図４Ａ】
2014507866.tif 000066
【図４Ｂ】
2014507866.tif 000067
【図４Ｃ】
2014507866.tif 000068
【図４Ｄ】
2014507866.tif 000069
【図４Ｅ】
2014507866.tif 000070
【図５】
2014507866.tif 000071
【図６】
2014507866.tif 000072
【図７】
2014507866.tif 000073
【図８】
2014507866.tif 000074
【図９】
2014507866.tif 000075
【図１０】
2014507866.tif 000076
【国際調査報告】
2014507866.tif 000077
2014507866.tif 000078
2014507866.tif 000079